(57)【特許請求の範囲】
【請求項１】
建物内の残留者を探索する複数の人員が各々携帯する端末装置であって、
通信回線を介して通信する通信部と、
探索が完了した場所を特定する為に、探索場所情報として、位置情報と、操作部を用いて入力された区画情報とを取得する探索場所特定部と、
自機の前記探索場所特定部が取得した位置情報に基づいて特定される区画情報と、自機の前記探索場所特定部が取得した区画情報とが一致することを条件として探索が完了したと判断された探索完了区画情報と、自機以外の端末装置の前記探索場所特定部が取得した位置情報に基づいて特定される区画情報と、当該自機以外の端末装置の前記探索場所特定部が取得した区画情報とが一致することを条件として探索が完了したと判断された探索完了区画情報を、探索履歴情報として記憶する記憶部と、
前記探索履歴情報に基づいて、自機又は自機以外の端末装置を携帯する人員によって残留者の探索が完了した場所を特定するための表示情報を、前記建物における場所を示すように地図表示する表示部と
を備えることを特徴とする端末装置。
【請求項２】
建物内の残留者を探索する複数の人員が各々携帯する端末装置であって、
通信回線を介して通信する通信部と、
探索が完了した場所を特定する為に、位置情報に基づいて特定される区画情報のみが操作部を用いた入力を受け付け可能なように示される地図画面において、当該操作部を用いて入力された区画情報を探索場所情報として取得する探索場所特定部と、
自機の前記探索場所特定部が取得した探索場所情報に基づいて探索が完了したと判断された探索完了区画情報と、自機以外の端末装置の探索場所特定部が取得した探索場所情報に基づいて探索が完了したと判断された探索完了区画情報を、探索履歴情報として記憶する記憶部と、
前記探索履歴情報に基づいて、自機又は自機以外の端末装置を携帯する人員によって残留者の探索が完了した場所を特定するための表示情報を、前記建物における場所を示すように地図表示する表示部と
を備えることを特徴とする端末装置。
【請求項３】
建物内の残留者を探索する複数の人員が各々携帯する端末装置であって、
通信回線を介して通信する通信部と、
探索が完了した場所を特定する為に、探索場所情報として位置情報又は区画情報を取得する探索場所特定部と、
自機の前記探索場所特定部が取得した探索場所情報又は当該探索場所情報に基づいて探索が完了したと判断された探索完了区画情報と、自機以外の端末装置の探索場所特定部が取得した探索場所情報又は当該探索場所情報に基づいて探索が完了したと判断された探索完了区画情報を、探索履歴情報として記憶する記憶部と、
前記探索履歴情報に基づいて、自機又は自機以外の端末装置を携帯する人員によって残留者の探索が完了した場所を特定するための表示情報を、前記建物における場所を示すように地図表示する表示部と
を備え、
前記記憶部は、前記探索場所特定部が取得した探索場所情報に基づいて特定された区画情報が、所定区画を構成する複数の小区画の一部の区画情報である場合に、前記複数の小区画のすべてについて区画情報を特定することによって当該所定区画の探索が完了したと判断されるまでは探索が進行中であると判断された探索進行中区画情報を探索履歴情報として記憶し、
前記表示部は、前記探索履歴情報に基づいて、探索が進行中であると判断された場所を特定するための表示情報を、前記建物における場所を示すように地図表示する
ことを特徴とする端末装置。
【請求項４】
建物内の残留者を探索する複数の人員が各々携帯する端末装置であって、
通信回線を介して通信する通信部と、
探索が完了した場所を特定する為に、探索場所情報として位置情報又は区画情報を取得する探索場所特定部と、
自機の前記探索場所特定部が取得した探索場所情報に基づいて特定された区画情報が、所定区画を構成する複数の小区画の一部の区画情報である場合に、当該複数の小区画のすべてについて区画情報を特定することによって当該所定区画の探索が完了したと判断された探索完了区画情報と、自機以外の端末装置の探索場所特定部が取得した探索場所情報に基づいて特定された区画情報が、所定区画を構成する複数の小区画の一部の区画情報である場合に、当該複数の小区画のすべてについて区画情報を特定することによって当該所定区画の探索が完了したと判断された探索完了区画情報を、探索履歴情報として記憶する記憶部と、
前記探索履歴情報に基づいて、自機又は自機以外の端末装置を携帯する人員によって残留者の探索が完了した場所を特定するための表示情報を、前記建物における場所を示すように地図表示する表示部と
を備えることを特徴とする端末装置。
【発明の詳細な説明】
【技術分野】
【０００１】
本発明は、異状発生による避難活動時に建物内の残留者を探索する活動を支援するための技術に関する。
【背景技術】
【０００２】
従来、緊急事態発生時にユーザが所持する携帯端末を利用し、緊急情報を通知するとともに、携帯端末の位置情報を取得するシステムが発明されている（例えば、特許文献１参照）。
【０００３】
また、携帯端末の位置情報を携帯端末の地図上に表示するとともに、残留者検出センサによって逃げ遅れた人の位置も同時に携帯端末の地図上に表示させることで、迅速な避難誘導や救助活動の支援を可能とする支援システムが発明されている（例えば、特許文献２参照）。
【先行技術文献】
【特許文献】
【０００４】
【特許文献１】特開２００６−１３３８２８号公報
【特許文献２】特開２０１４−６３４８５号公報
【発明の概要】
【発明が解決しようとする課題】
【０００５】
火災等の異状が発生して建物から避難するような場合、自衛消防隊員は避難誘導を行うだけでなく、建物内の残留者を探索して逃げ遅れが無いかを確認する避難確認活動を行う必要がある。自衛消防隊による避難確認活動は、物陰に倒れていて監視カメラやセンサで確認できないような残留者が存在するような場合であっても、漏れなく早期に発見するために、複数の自衛消防隊員で組織的に避難確認作業を行う。しかし、複数の自衛消防隊員で複数の部屋を全数探索する場合、複数の隊員により同一の部屋を重複して探索してしまうという事態が発生する場合がある。また、どの部屋を探索したのか分からなくなってしまうという事態が発生する場合があり、探索漏れを生ずる虞もある。また、このような場合には探索に要する時間が増大してしまうことになる。
【０００６】
本発明は、上記課題に鑑み、建物からの避難を確認する時、建物内の残留者を組織的に探索するに当たって、同一の場所の探索の重複や探索漏れを防止し、確実かつ迅速に避難確認活動を行えるように支援することを目的とする。
【課題を解決するための手段】
【０００７】
（１）上述した課題を解決するため、本発明に係る端末装置は、建物内の残留者を探索する複数の人員が各々携帯する端末装置であって、通信回線を介して通信する通信部と、探索が完了した場所を特定する為に、探索場所情報として位置情報又は区画情報を取得する探索場所特定部と、自機の前記探索場所特定部が取得した探索場所情報又は当該探索場所情報に基づいて探索が完了したと判断された探索完了区画情報を蓄積し、第１の探索履歴情報として記憶するとともに、自機以外の端末装置の探索場所特定部が取得した探索場所情報又は当該探索場所情報に基づいて探索が完了したと判断された探索完了区画情報を蓄積し、第２の探索履歴情報として記憶する記憶部と、前記第１の探索履歴情報に基づいて、自機を携帯する人員によって残留者の探索が完了した場所を特定するための第１の表示情報を、前記建物における場所を示すように地図表示するとともに、前記第２の探索履歴情報に基づいて、自機以外の端末装置を携帯する人員によって残留者の探索が完了した場所を特定するための第２の表示情報を、前記建物における場所を示すように地図表示する表示部を備えることを特徴とする。
【０００８】
（２）また、本発明に係る端末装置は、（１）の構成において、前記第１および第２の表示情報は、当該端末装置の移動の軌跡を示す情報と、予め定めた複数の区画のうちの探索が完了した区画を示す情報のうちの少なくとも１つであることを特徴とする。
【０００９】
（３）また、本発明に係る端末装置は、（１）又は（２）の構成において、前記記憶部は、前記探索場所特定部が取得した探索場所情報に基づいて探索が進行中であると判断された探索進行中区画情報を第３の探索履歴情報として記憶し、前記表示部は、前記第３の探索履歴情報に基づいて、探索が進行中であると判断された場所を特定するための第３の表示情報を、前記建物における場所を示すように地図表示することを特徴とする。
【００１０】
（４）また、本発明に係る端末装置は、（３）の構成において、前記探索場所特定部が取得した探索場所情報に基づいて特定された区画情報が、所定区画を構成する複数の小区画の一部の区画情報である場合に、前記複数の小区画のすべてについて区画情報を特定することによって当該所定区画の探索が完了したと判断されるまでは探索が進行中と判断され、前記記憶部は、前記所定区画の区画情報を第３の探索履歴情報として記憶することを特徴とする。
【００１１】
（５）また、本発明に係る端末装置は、（３）又は（４）の構成において、前記表示部は、前記第１、第２及び第３の表示情報のうち、少なくとも一つを他の表示情報と異なる態様で、前記建物における場所を示すように地図表示することを特徴とする。
【００１２】
（６）また、本発明に係る端末装置は、（１）乃至（５）のいずれか一の構成において、前記表示部は、探索の優先度の高い場所を示す第４の表示情報を、前記建物における場所を示すように地図表示することを特徴とする。
【００１３】
（７）また、本発明に係る端末装置は、（１）乃至（６）のいずれか一の構成において、前記表示部は、前記人員による閉鎖確認の対象となる防火戸の位置を示す第５の表示情報を前記建物における場所を示すように地図表示することを特徴とする。
【００１４】
（８）また、本発明に係る端末装置は、（７）の構成において、前記第５の表示情報は、閉鎖確認が完了していない防火戸の位置を示す情報であり、前記表示部は、前記人員による閉鎖確認が完了した防火戸の位置を示す第６の表示情報を前記第５の表示情報とは異なる態様で前記建物における場所を示すように地図表示することを特徴とする。
【００１５】
（９）また、本発明に係る端末装置は、（１）乃至（８）のいずれか一の構成において、前記探索場所特定部が取得した前記探索場所情報を、前記通信部を介して、自機以外に受け付けさせる通知部と、前記通信部を介して、前記探索場所情報に基づいて探索が完了したと判断された探索完了区画情報を受け付けて前記記憶部に蓄積させる受付部と、をさらに備えることを特徴とする。
【００１６】
（１０）また、本発明に係る支援装置は、通信回線を介して（１）乃至（７）のいずれか一の構成の複数の前記端末装置の各々と通信する第２の通信部と、前記複数の端末装置のうちの一の端末装置から、当該一の端末装置が取得した探索場所情報を、前記第２の通信部を介して受け付ける第２の受付部と、前記第２の受付部により受け付けられた前記探索場所情報又は当該探索場所情報に基づいて探索が完了したと判断された探索完了区画情報を第２の探索履歴情報として蓄積させるために、前記第２の通信部を介して前記一の端末装置以外の端末装置に通知する第２の通知部とを備えることを特徴とする。
【００１７】
（１１）また、本発明に係る支援装置は、（１０）の構成において、前記第２の受付部により受け付けられた前記探索場所情報に基づいて、探索が完了した区画を判断する判断部をさらに備え、前記第２の通知部は、前記一の端末装置に、前記判断部が探索を完了したと判断した探索完了区画情報を第１の探索履歴情報として蓄積させるために、前記第２の通信部を介して通知し、前記一の端末装置以外の端末装置に、前記判断部が探索を完了したと判断した探索完了区画情報を第２の探索履歴情報として蓄積させるために、前記第２の通信部を介して通知することを特徴とする。
【００１８】
（１２）また、本発明に係る支援装置は、通信回線を介して（１）乃至（７）のいずれか一の構成の複数の前記端末装置の各々と通信する第２の通信部と、前記複数の端末装置のうちの一の端末装置が取得した探索場所情報を、当該一の端末装置を識別する識別子とともに前記第２の通信部を介して受け付ける第２の受付部と、前記第２の受付部により受け付けられた前記探索場所情報に基づいて、探索が完了した区画を判断する判断部と、前記判断部が探索を完了したと判断した探索完了区画情報を、前記識別子と関連付けて記憶し、探索履歴情報として蓄積する第２の記憶部とを備え、前記第２の記憶部の探索履歴情報に基づいて、前記複数の端末装置すべての前記記憶部の前記第１の探索履歴情報と前記第２の探索履歴情報を、前記第２の通信部を介して同期させることを特徴とする。
【００１９】
（１３）また、本発明に係る支援装置は、（１０）乃至（１２）のいずれか一の構成において、前記支援装置は、前記第２の受付部により受け付けられた探索場所情報に基づいて、前記一の端末装置が同じ場所に滞留している時間を計測する計測部と、前記計測部により計測された時間が所定の閾値を超えた場合に、前記一の端末装置を携帯する人員の活動に対する応援要請を、前記複数の端末装置のうちの前記一の端末装置以外の端末装置に前記第２の通信部を介して送信する要請部とをさらに備えることを特徴とする。
【００２０】
（１４）また、本発明に係る支援システムは、建物内の残留者を探索する複数の人員が各々携帯する端末装置を具備する支援システムであって、無線通信する通信部と、探索が完了した場所を特定する為に、探索場所情報として位置情報又は区画情報を取得する探索場所特定部と、自機の前記探索場所特定部が取得した探索場所情報又は当該探索場所情報に基づいて探索が完了したと判断された探索完了区画情報を蓄積し、第１の探索履歴情報として記憶するとともに、自機以外の端末装置の探索場所特定部が取得した探索場所情報又は当該探索場所情報に基づいて探索が完了したと判断された探索完了区画情報を蓄積し、第２の探索履歴情報として記憶し、さらに、探索が完了したと判断された探索完了区画情報を記憶する記憶部と、前記第１の探索履歴情報に基づいて、自機を携帯する人員によって残留者の探索が完了した場所を特定するための第１の表示情報を、前記建物における場所を示すように地図表示するとともに、前記第２の探索履歴情報に基づいて自機以外の端末装置を携帯する人員によって残留者の探索が完了した場所を特定するための第２の表示情報を、前記建物における場所を示すように地図表示する表示部とを備える端末装置と、前記探索完了区画情報を生成するために、前記探索場所特定部が取得した前記探索場所情報に基づいて、探索が完了した区画を判断する判断部と、を備えることを特徴とする。
【発明の効果】
【００２１】
上記の（１）、（２）、（５）、（９）乃至（１２）、（１４）のいずれか一の構成によれば、端末装置を携帯する人員は、建物内の残留者を探索する際に自身の位置や探索の状況を把握でき、パニックに陥ることなく、同一の場所の探索の重複や探索漏れを防止することができる。
上記の（３）又は（４）の構成によれば、より確実に同一の場所の探索の重複を防止することができる。
上記の（６）の構成によれば、残留者の探索を効率的に行うことができる。
上記の（７）又は（８）の構成によれば、防火戸の閉鎖確認の重複や確認漏れを防止することができる。
上記の（１３）の構成によれば、応援が必要と判断される人員に対する応援を自動的に他の人員に要請することができる。
【図面の簡単な説明】
【００２２】
【図１】本発明に係る支援システムの構成を示すブロック図である。
【図２】本発明に係る支援装置の構成を示すブロック図である。
【図３】本発明に係る端末装置の構成を示すブロック図である。
【図４】本発明に係る端末装置で表示される地図画面の一例を示す図である。
【図５】本発明に係る支援システムの防災支援アプリ起動時の動作を示すシーケンス図である。
【図６】本発明に係る支援システムの探索活動時の測位動作を示すシーケンス図である。
【図７】本発明に係る支援システムの探索完了時の動作を示すシーケンス図である。
【図８】本発明に係る支援システムの防火戸の閉鎖確認時の動作を示すシーケンス図である。
【図９】本発明に係る支援装置の応援要請の要否判断時の動作を示すフローチャートである。
【発明を実施するための形態】
【００２３】
１．実施形態
１−１．支援システムの構成
本実施の形態に係る支援システム１００の構成について、図１に基づいて説明する。支援システム１００は、支援装置１と、複数の端末装置２−１、２−２、２−３、…２−ｎ（以下、特に区別する必要がない場合には「端末装置２」と総称する。）とで構成される。支援装置１は、自衛消防隊員が防火対象物である建物内において残留者を探索する活動を支援するための装置である。端末装置２は、自衛消防隊の隊員により携帯される携帯型の通信端末装置である。また、支援システム１００は、上記建物に配設される自動火災報知設備の受信機３と、上記建物において利用者の入退室を管理する入退室管理システムの管理装置４と接続される。受信機３は、火災やガス漏れ等の異状を感知する感知手段から異状感知信号を受信し、当該異状が発生したと判断すると、当該異状の発生を知らせる異状信号を、通信回線５を介して支援装置１に送信する。また、受信機３は、自らがその作動を制御する開放型（煙感知器連動型）の防火戸について、その作動状況に関する監視情報を、通信回線５を介して支援装置１に逐次送信する。また、管理装置４は、防火対象物である建物の各部屋について利用者の在、不在を示す在室情報を、通信回線５を介して支援装置１に逐次送信する。この在室情報には、移動困難者の在、不在を示す情報も含まれる。
【００２４】
図１に示される各装置は通信回線５を介して互いに通信を行う。この通信回線５は、例えばＩＭＴ−２０００に準拠した無線通信網や、ｉＥＥＥ８０２．１１に準拠する無線ＬＡＮや、有線ＬＡＮなどである。通信回線５は、少なくとも端末装置２とは無線通信のアクセスポイントを介して無線通信で接続され、その他の装置とは有線又は無線により接続される。なお、端末装置２以外の装置は、通信回線５が接続された別の通信回線、例えば電気通信事業者が提供するような広域ネットワークＷＡＮを介して、仮想専用ネットワークＶＰＮを形成するなどして互いに接続されるようにしてもよい。また、支援装置１と、受信機３又は管理装置４とは、通信回線５を介さず信号線で物理的に直接接続されてもよい。このように、支援装置１と、端末装置２と、受信機３と、管理装置４とを接続する通信回線は限定されるものではない。
【００２５】
１−２．支援装置の構成
次に、支援システム１００を構成する支援装置１の構成について、図２に基づいて説明する。支援装置１は、同図に示されるように、制御部１１と、記憶部１２と、通信部１３とを有する。
【００２６】
制御部１１は、ＣＰＵ、ＲＯＭ、ＲＡＭなどを有し、ＣＰＵがＲＯＭ又は記憶部１２に記憶されたプログラムを読み出して実行することにより支援装置１の各部を制御する。制御部１１の機能的構成については後述する。
【００２７】
記憶部１２は、ＲＯＭ、フラッシュメモリ、ハードディスク等の不揮発性の記憶手段であり、自衛消防隊による残留者の探索活動を支援するためのプログラムを記憶する。
【００２８】
また、記憶部１２は、上記のプログラムに加えて、隊員情報データベース（図において「データベース」を「ＤＢ」と表記する）１２１を有する。この隊員情報データベース１２１は、自衛消防隊を構成する各隊員に関する情報を記憶するデータベースである。具体的には、端末装置２の端末ＩＤと、自衛消防隊員の隊員名と、端末装置２の通信アドレスと、自衛消防隊員の滞在場所とを関連付けて記憶する。ここで、自衛消防隊員の滞在場所は、例えば、自衛消防隊により残留者の探索活動が行われる建物の区画を示す識別子としての部屋ＩＤにより表現される。なお、本実施形態における自衛消防隊員には防災センター要員が含まれてもよく、当該隊員は端末装置２を携帯する人員の一例である。
【００２９】
また、記憶部２２は、地図情報データベース（図において「データベース」を「ＤＢ」と表記する）１２２を有する。この地図情報データベース１２２は、自衛消防隊により残留者の探索活動が行われる建物内の地図データを記憶するデータベースである。具体的には、例えば、当該建物のフロア別平面地図を示す地図データを記憶する。また、地図情報データベース１２２は、建物の地図データにおける各部屋の領域を部屋ＩＤと関連付けて記憶する。例えば、フロア別平面地図をピクセル等の小領域の集合として扱い、該小領域ごとに部屋ＩＤを関連付けて記憶させ、各部屋の領域を特定できるようにしておくとよい。また、建物の地図データにおける各防火戸の位置を防火戸ＩＤと関連付けて記憶しておくとよい。
【００３０】
また、記憶部１２は、位置情報データベース（図において「データベース」を「ＤＢ」と表記する）１２３を有する。この位置情報データベース１２３は、自衛消防隊を構成する各隊員の移動の履歴を記憶するデータベースである。より具体的には、残留者の探索活動中の端末装置２ごとの移動の履歴を記憶するデータベースである。この位置情報データベース１２３は、端末ＩＤごとに、位置情報と日時との組み合わせを時系列に記憶する。ここで、位置情報は、例えば、緯度、経度及び標高の座標により表現される。
【００３１】
また、記憶部１２は、部屋情報データベース（図において「データベース」を「ＤＢ」と表記する）１２４を有する。この部屋情報データベース１２４は、自衛消防隊により残留者の探索活動が行われる建物内に設けられる区画の情報（区画情報）の一例としての各部屋に関する情報を記憶するデータベースである。具体的には、例えば、部屋ＩＤと、部屋名と、残留者の有無を示す情報と、移動困難者の有無を示す情報と、探索状況を示す情報（探索状況情報）とを関連付けて記憶する。ここで、残留者の有無を示す情報は、例えば、管理装置４から提供される在室情報に基づいて更新される。探索状況情報とは、当該部屋の探索の状況を示す情報である。当該情報としては、例えば、探索未完了に加え、探索進行中、探索完了といった端末装置２からの情報に基づく探索状況情報が記憶される。例えば、支援装置１の受付部１１１が後述する探索完了報告を端末装置２から受け付けると、当該端末装置２の端末ＩＤと関連付けられた探索完了の情報が記憶される。このように、探索状況情報として、探索完了報告をした端末装置２の端末ＩＤを関連付けて記憶しておくと、端末装置２ごとの探索履歴情報を得ることができる。なお、残留者の有無を示す情報は、建物の各部屋に設置された監視カメラや人感センサにより検出された情報に基づいて更新されてもよい。さらに、移動困難者の有無を示す情報は、例えば、個人を識別できる入退室管理システムの管理装置４からの在室情報に基づいて、移動困難者として登録された個人の属性情報を取得して更新するとよい。
【００３２】
また、記憶部１２は、防火戸情報データベース（図において「データベース」を「ＤＢ」と表記する）１２５を有する。この防火戸情報データベース１２５は、自衛消防隊により残留者の探索活動が行われる建物内に設置される各防火戸（防火扉、防火シャッタ、防煙シャッタ、防火スクリーン、防煙スクリーンを含む）に関する情報を記憶するデータベースである。具体的には、防火戸ＩＤと、閉鎖確認状況を示す情報とを関連付けて記憶する。防火戸が先に述べた開放型（煙感知器連動型）の防火戸である場合は、さらに、作動状況を示す情報とも関連付けて記憶することもできる。
【００３３】
ここで、閉鎖確認状況を示す情報とは、当該防火戸が自衛消防隊員により目視で閉鎖確認されているか否かを示す情報である。当該情報としては、例えば、未確認や、確認済みといった情報が記憶される。また、作動状況を示す情報とは、当該防火戸が開放型（煙感知器連動型）である場合に、受信機３から防火戸に対して閉鎖制御信号が送信されたか否か、この信号に対する応答として閉鎖確認信号が受信機３により受信されているか否か、を示す情報である。当該情報としては、例えば、閉鎖未制御や、閉鎖制御済みや、応答確認済みといった情報が記憶される。
【００３４】
通信部１３は、通信回線５を介して端末装置２、受信機３及び管理装置４と通信を行うためのインターフェースである。通信部１３は、通信回線５に設けられる無線通信のアクセスポイント（図示せず）を介して無線通信を行う端末装置２と通信する。また、通信回線５を介して受信機３及び管理装置４と無線又は有線で通信を行う。受信機３、管理装置４とは、通信回線５以外の通信回線または信号線を介して通信してもよく、さらに他の通信回線を介して通信してもよい。
【００３５】
次に、制御部１１の機能的構成について説明する。制御部１１は、図２に示されるように、その機能的構成として、受付部１１１と、第１判断部１１２と、通知部１１３と、記憶制御部１１４と、計測部１１５と、第２判断部１１６と、要請部１１７とを備える。
【００３６】
受付部１１１は、通信部１３を介して端末装置２から探索場所情報を受け付ける。探索場所情報は、端末装置２が取得した現在地情報であり、本実施形態ではその一例として位置情報を受け付ける。また、受付部１１１は、通信部１３を介して端末装置２から後述するデータベースの同期要求を受け付ける。また、受付部１１１は、通信部１３を介して端末装置２から、探索が完了した区画の探索完了報告と、閉鎖確認が完了した防火戸の閉鎖確認報告を受け付ける。具体的には、例えば、探索が完了した部屋の部屋ＩＤ、閉鎖確認が完了した防火戸の防火戸ＩＤを、それぞれ受け付ける。なお、本実施形態における部屋ＩＤは、防火対象物である建物を構成する複数の区画のうちの１つの区画を識別する識別子であり、区画情報の一例である。また、受付部１１１は、通信部１３を介して受信機３から、異状の発生を知らせる異状信号を受け付け、さらに、受信機３が制御する開放型防火戸が存在する場合は、その作動状況に関する監視情報を受け付けてもよい。また、受付部１１１は、通信部１３を介して管理装置４から、探索対象の各部屋について利用者の在、不在を示す在室情報を受け付け、さらに、移動困難者の在、不在情報を在室情報として受け付ける。
【００３７】
第１判断部１１２は、受付部１１１により端末装置２から受け付けられた探索場所情報に基づいて、探索活動が進行中である区画を示す探索進行中区画情報を特定する。具体的には、本実施形態のように探索場所情報が位置情報で与えられる場合は、地図情報データベース１２２を参照し、その位置情報に基づいて、当該装置が存在する部屋の部屋ＩＤを特定して探索進行中区画情報とする。
【００３８】
通知部１１３は、受付部１１１により受信機３から受け付けた異状信号に基づいて、異状内容とその発生場所を特定し、これらを初動情報として通信部１３を介して端末装置２に通知する。また、通知部１１３は、受付部１１１により端末装置２から受け付けられた探索場所情報を、通信部１３を介して他の端末装置２に通知する。本実施形態では、探索場所情報として現在地情報を当該端末装置２の端末ＩＤと関連付けて通知する。また、通知部１１３は、第１判断部１１２により特定された探索進行中区画情報としての部屋ＩＤを、通信部１３を介して端末装置２に通知する。また、通知部１１３は、受付部１１１により端末装置２からの閉鎖確認報告として受け付けられた防火戸ＩＤを、通信部１３を介して他の端末装置２に通知する。また、通知部１１３は、後述する、蓄積された探索完了区画情報を探索履歴情報として各端末装置２に記憶させるために、通信部１３を介して端末装置２に通知する。
【００３９】
記憶制御部１１４は、受付部１１１により受け付けられた探索場所情報としての位置情報を、当該情報を受け付けた受付時刻および当該端末装置２の端末ＩＤと関連付けて位置情報データベース１２３に記憶させる。すなわち、位置情報データベース１２３には、端末装置２ごとの移動の履歴情報が記憶される。また、記憶制御部１１４は、第１判断部１１２により特定された部屋ＩＤについて、部屋情報データベース１２４の当該部屋ＩＤの探索状況情報が「探索完了」でない場合に、これを「探索進行中」に更新し、探索状況を示す探索履歴情報として記憶させる（第３の探索履歴情報）。また、記憶制御部１１４は、第１判断部１１２により特定された部屋ＩＤを、滞在場所情報として記憶部１２に記憶させ、更新する。具体的には、当該部屋ＩＤを隊員情報データベース１２１に記憶させ、更新する。また、記憶制御部１１４は、受付部１１１により端末装置２からの探索完了報告を受け付けられた部屋ＩＤについて、部屋情報データベース１２４の当該部屋ＩＤの探索状況情報を「探索完了」に更新し、探索履歴情報として、記憶させる。このとき、当該端末装置２の端末ＩＤと関連付けて記憶させると、どの端末装置２が探索を完了させた部屋であるかが明らかな探索履歴情報とできる（端末装置２における第１および第２の探索履歴情報に相当）。また、記憶制御部１１４は、受付部１１１により端末装置２からの閉鎖確認報告が受け付けられた防火戸の防火戸ＩＤについて、防火戸情報データベース１２５の当該防火戸ＩＤの閉鎖確認状況を「確認済み」に更新し、記憶させる。
【００４０】
計測部１１５は、第１判断部１１２により特定されて記憶部１２に記憶された滞在場所情報に基づいて、各端末装置２が同じ場所に滞留している時間を計測する。計測部１１５は、受付部１１１により端末装置２から受け付けられた探索場所情報としての位置情報に基づいて、当該端末装置２が所定範囲内の場所に滞留している時間を計測するようにしてもよい。
【００４１】
第２判断部１１６は、計測部１１５により計測された時間が所定の閾値を超えた否かを判断する。また、第２判断部１１６は、端末装置２ごとに、その滞在場所が変化したか否かについても判断する。滞在場所が変化した場合には、計測部１１５の計時値をリセットして計測部１１５の計時を再開させる。
【００４２】
要請部１１７は、第２判断部１１６による判断の結果、計測部１１５により計測された時間が所定の閾値を超えた端末装置２が発生した場合に、当該端末装置２を携帯する自衛消防隊員の探索活動に対する応援の要請を、通信部１３を介して他の端末装置２に送信する。
【００４３】
１−３．端末の構成
次に、支援システム１００を構成する端末装置２の構成について、図３に基づいて説明する。端末装置２は、例えばスマートフォンやタブレット端末等、移動しながら活動する自衛消防隊員が携帯できる無線通信端末である。端末装置２は、同図に示されるように、制御部２１と、記憶部２２と、通信部２３と、操作部２４と、表示部２５と、測位部２６とを有する。
【００４４】
制御部２１は、ＣＰＵ、ＲＯＭ、ＲＡＭなどを有し、ＣＰＵがＲＯＭ又は記憶部２２に記憶されているプログラムを読み出して実行することにより端末装置２の各部を制御する。制御部２１の機能的構成については後述する。
【００４５】
記憶部２２は、フラッシュメモリやＳＳＤ（ソリッドステートドライブ）などの不揮発性の記憶手段であり、防災支援アプリを記憶する。この防災支援アプリは、自衛消防隊の活動を支援するための処理を実行するプログラムである。特に本実施形態では、この防災支援アプリが提供する機能のうち、建物内の残留者の探索を支援する機能について説明する。記憶部２２は、また、端末装置２に固有の識別子である端末ＩＤを記憶する。
【００４６】
また、記憶部２２は、地図情報データベース（図において「データベース」を「ＤＢ」と表記する）２２１を有する。この地図情報データベース２２１は、自衛消防隊により残留者の探索活動が行われる建物内の地図データを記憶するデータベースである。具体的には、例えば、当該建物のフロア別平面地図を示す地図データを記憶する。この地図情報データベース２２１の地図データは、例えば、支援装置１に記憶される地図情報データベース１２２から通信部２３を介して取得する。この地図情報データベース２２１の地図データは、異状が発生して防災支援アプリを起動させたときに地図情報データベース１２２の地図データをダウンロードするようにしてもよいし、地図情報データベース１２２の変更時にアップデートされるようにしてもよいし、地図情報データベース１２２と日常的に同期されるようにしてもよく、最新の地図データを格納するようにする。
【００４７】
また、記憶部２２は、位置情報データベース（図において「データベース」を「ＤＢ」と表記する）２２２を有する。この位置情報データベース２２２は、端末装置ごとの現在地情報を記憶するデータベースであり、そのデータは、各端末装置２の端末ＩＤと関連付けられた最新の位置情報によって構成される。この位置情報データベース２２２のデータは、支援装置１から送信される、支援装置１の位置情報データベース１２３における各端末装置２の最新の位置情報の更新データを受けて随時取得することができる。自機の現在地のデータは、後述する探索場所特定部２１１より取得し、自機の端末ＩＤと関連付けて記憶するようにしてもよい。また、支援装置１の隊員情報データベース１２１に格納されている最新の滞在場所情報の更新データを受けることによって、各端末装置２の現在地を滞在場所としての部屋ＩＤとして随時取得してもよい。
【００４８】
また、記憶部２２は、部屋情報データベース（図において「データベース」を「ＤＢ」と表記する）２２３を有する。この部屋情報データベース２２３は、自衛消防隊により残留者の探索活動が行われる建物内の各部屋に関する情報を記憶するデータベースである。この部屋情報データベース２２３を構成する各レコードのデータ構成は、支援装置１に記憶される部屋情報データベース１２４と同様である。なお、部屋情報データベース１２４、２２３に記憶される探索履歴情報は、探索完了報告を行った端末装置２の端末ＩＤと関連付けて記憶してもよい。このようにすることにより、端末装置２は、自機の探索履歴情報（第１の探索履歴情報）と自機以外の端末装置２の探索履歴情報（第２の探索履歴情報）とを、端末ＩＤによって識別することができ、異なる態様で表示することが可能となる。この部屋情報データベース２２３は、支援装置１から送信される更新データを受けて、支援装置１の部屋情報データベース１２４に記憶される最新のデータに更新される。支援装置１から送信される同期指示を受けて、支援装置１の部屋情報データベース１２４と同期するようにしてもよい。
【００４９】
また、記憶部２２は、防火戸情報データベース（図において「データベース」を「ＤＢ」と表記する）２２４を有する。この防火戸情報データベース２２４は、自衛消防隊により残留者の探索活動が行われる建物内に設置される各防火戸に関する情報を記憶するデータベースである。この防火戸情報データベース２２４を構成する各レコードのデータ構成は、支援装置１に記憶される防火戸情報データベース１２５と同様である。この防火戸情報データベース２２４は、支援装置１から送信される更新データを受けて、支援装置１の防火戸情報データベース１２５に記憶される最新のデータに随時更新される。支援装置１から送信される同期指示を受けて、支援装置１の防火戸情報データベース１２５と同期するようにしてもよい。
【００５０】
通信部２３は、無線通信によって通信回線５を介して支援装置１と通信を行うためのインターフェースである。
【００５１】
操作部２４は、端末装置２を携帯する者が操作して入力する操作手段であり、例えば静電容量方式のタッチパネル２４１を備える。タッチパネル２４１は画面２５１に重ねて配置され、指等の指示体によって画面２５１に対して行われる操作者の操作を検出する。
【００５２】
表示部２５は、液晶等を利用した画面２５１を備え、制御部２１からの指示に応じて画面２５１に画像を表示させる表示手段である。例えば、表示部２５は、防火対象物である建物内の地図を示す地図画面を表示する。図４は、地図画面の一例を示す図である。同図に例示される地図画面には、平面地図表示Ｍ１と、隊員表示Ｓ１及びＳ２と、在室表示Ｓ３と、移動困難者表示Ｓ４と、異状発生場所表示Ｓ５とが表示される。平面地図表示Ｍ１は、防火対象物である建物内の平面地図を地図情報データベース２２１に基づいて表示する。同図に例示される平面地図は、建物を構成する複数のフロアのうちの１つのフロアの平面地図であり、当該フロアには複数の部屋Ｒ１乃至Ｒ１８（以下、特に区別する必要がない場合には「部屋Ｒ」と総称する。）と、防火戸Ｄ１及びＤ２（以下、特に区別する必要がない場合には「防火戸Ｄ」と総称する。）と、が存在している。
【００５３】
図４において隊員表示Ｓ１及びＳ２は、端末装置２を携帯する自衛消防隊員の現在位置を示す。白丸で表される隊員表示Ｓ１は、当該端末装置２を携帯している隊員本人の現在位置を示し、同図において黒丸で表される隊員表示Ｓ２は、他の隊員の現在位置を示す。これらの隊員表示Ｓ１及びＳ２は、位置情報データベース２２２に記憶される各端末装置２の現在地情報に基づいて表示され、各隊員の移動に伴ってその位置が変化する。
【００５４】
また、図４において複数の部屋Ｒのうち部屋Ｒ１、Ｒ２、Ｒ１０及びＲ１５は網掛けで表示されている。これらの網掛け部分は、これらの部屋の残留者の探索がすでに完了していることを示している。これらの部屋の探索状況情報は部屋情報データベース２２３において探索完了と記憶されている。逆に、網掛け表示されていない他の部屋は、残留者の探索がまだ完了していないことを示す。これらの部屋の探索状況情報は部屋情報データベース２２３において防災支援アプリ起動時の初期値のままで、例えば、探索未完了と記憶されている。上記網掛け表示は、探索が完了した部屋Ｒ１、Ｒ２、Ｒ１０及びＲ１５を、探索が完了していない部屋と識別可能とするために異なる態様で表示する一例であり、例えば、クロスハッチングや異なる色とする等、識別可能な異なる態様で表示すればよい。探索が完了した部屋の上記表示は、記憶部２２の部屋情報データベース２２３に記憶される第１の探索履歴情報に基づいて、当該端末装置２を携帯する自衛消防隊員によって残留者の探索が完了した場所を特定するための第１の表示情報として、表示制御部２１５が表示部２５に表示させた一例である。また、探索が完了した部屋の上記表示は、記憶部２２の部屋情報データベース２２３に記憶される第２の探索履歴情報に基づいて、他の端末装置２を携帯する自衛消防隊員によって残留者の探索が完了した場所を特定するための第２の表示情報として、表示制御部２１５が表示部２５に表示させた一例である。これらの表示情報は、防火対象物である建物における場所を示すように表示部２５に地図表示する。例えば、図４に示した隊員表示Ｓ１で示された当該端末装置２を携帯する自衛消防隊員によって部屋Ｒ１、Ｒ２の探索が完了したケースでは、上記表示の部屋Ｒ１、Ｒ２が第１の表示情報に相当する。また、図４に示した隊員表示Ｓ２で示された他の端末装置２を携帯する自衛消防隊員によって部屋Ｒ１０、Ｒ１５の探索が完了したケースでは、上記表示の部屋Ｒ１０、Ｒ１５が第２の表示情報に相当する。このように探索が完了した部屋を他と異なる態様で表示させることにより、建物内の残留者を組織的に探索するに当たって、同一の場所の探索の重複や探索漏れを防止し、確実かつ迅速に避難確認を行うことができる。さらに、第１の表示情報と第２の表示情報とを異なる態様で表示させ、当該端末装置２を携帯する自衛消防隊員が、自ら探索を完了させた部屋Ｒ１、Ｒ２と、他の端末装置２を携帯する自衛消防隊員が探索を完了させた部屋Ｒ１０、Ｒ１５とを区別できるようにしてもよい。このように第１の表示情報と第２の表示情報とを異なる態様で表示させることにより、自らが探索を受け持つべき部屋が定まる場合は、自らの探索漏れを把握することができる。
【００５５】
また、図４において、部屋Ｒ３及びＲ９は、その枠線が破線で表示されている。これは、これらの部屋に自衛消防隊員が滞在していることを示している。言い換えると、これらの部屋において残留者の探索活動が進行中であることを示している。これらの部屋の探索状況情報は部屋情報データベース２２３に、第３の探索履歴情報である探索進行中区画情報として、探索進行中と記憶されている。上記表示の部屋Ｒ３、Ｒ９は、第３の探索履歴情報に基づいて、探索が進行中であると判断された場所を特定するため、建物における場所を示すように、表示部２５に地図表示される第３の表示情報の一例である。上記の破線表示は、探索が進行中であると判断された部屋Ｒ３、Ｒ９を、探索が完了していない部屋や探索が完了した部屋と識別可能とするために異なる態様で表示する一例であり、第１および第２の表示情報とは異なる態様で表示すればよい。例えば、枠線や枠内を、点滅表示させたり、異なる態様のハッチングで表示させたり、異なる色で表示させたりすればよい。
【００５６】
また、図４において、防火戸Ｄ１及びＤ２のうち防火戸Ｄ１は破線で表示されている。これは、この防火戸Ｄ１の閉鎖確認がまだ完了していないことを示しており、自衛消防隊による閉鎖確認の対象となる防火戸の位置を、建物における場所を示すように地図表示する第５の表示情報の一例である。この防火戸Ｄ１の閉鎖確認状況は防火戸情報データベース２２４において防災支援アプリ起動時の初期値のままで、例えば、未確認と記憶されている。なお、図４には示されてはいないが、第５の表示情報としての防火戸Ｄ１の色等の表示態様は、その監視状況に応じて変更されてもよい。例えば、防火戸Ｄ１が、常時は開放されており火災発生時に自動的に閉鎖するように受信機３等から制御される開放型防火戸であった場合、受信機３から閉鎖制御が未だ行われていない閉鎖未制御の場合と、受信機３から閉鎖制御を行った閉鎖制御済みの場合と、受信機３が閉鎖制御した結果として防火戸Ｄ１から応答信号を受信した応答確認済みの場合とで、防火戸Ｄ１の色等の表示態様を変更してもよい。また、防火戸Ｄ１が閉鎖制御済であって応答確認も閉鎖確認もされていない場合には、障害物による閉鎖障害や故障が発生している虞があり、防火戸Ｄ１を示すシンボルを点滅表示したり赤色等の警戒色で表示したりして、隊員による閉鎖確認を特に要することを強調表示するようにしてもよい。一方、防火戸Ｄ２は太い実線で表示されている。これは、この防火戸Ｄ２の閉鎖確認がすでに完了していることを示しており、自衛消防隊員による閉鎖確認が完了した防火戸の位置を示す第６の表示情報の一例である。第６の表示情報は、第５の表示情報とは異なる態様で建物における場所を示すように地図表示する。この防火戸Ｄ２の閉鎖確認状況は防火戸情報データベース２２４において確認済みと記憶されている。このように、防火戸情報データベース２２４に記憶されている閉鎖確認状況に基づいて、各防火戸の場所と状態とを示すように、表示制御部２１５は表示部２５が地図表示するように制御する。
【００５７】
在室表示Ｓ３は、残留者が存在する部屋の場所を表示する。言い換えると、残留者の探索対象として探索の優先度の高い場所を示す第４の表示情報として、残留者が存在する部屋の場所を地図上に表示する。図４に示される例では、部屋Ｒ５、Ｒ６、Ｒ１２及びＲ１４において残留者が存在することが示されている。これらの部屋については、部屋情報データベース２２３において残留者ありと記憶されている。移動困難者表示Ｓ４は、残留者のうち特に移動困難者が存在する部屋の場所を表示する。言い換えると、残留者の探索対象としてより探索の優先度の高い場所として部屋の場所を地図上に表示する第４の表示情報の一例である。図４に示される例では、部屋Ｒ１４において移動困難者が存在することが示されている。この部屋については、部屋情報データベース２２３において移動困難者ありと記憶されている。なお、部屋Ｒ１４に移動困難者以外が在室しない場合は、部屋Ｒ１４に在室表示Ｓ３を表示しなくてもよい。このように表示すると、移動困難者が孤立して要救助の状況にあることが判る。最後に、図４においてバツ印で表される異状発生場所表示Ｓ５は、異状の発生場所を表示する。具体的には、異状を感知した感知手段の設置場所を表示する。この異状発生場所表示Ｓ５は、受信機３からの異状情報によって支援装置１から送信される初動情報に基づいて表示される。
【００５８】
以上説明したように、地図画面には、探索がすでに完了した部屋が識別可能なように表示されるため、建物内の残留者を探索する際に同一の場所の探索の重複や探索漏れを防止することができる。また、探索が完了していない部屋であっても自衛消防隊員が滞在する部屋についてはその旨が識別可能なように表示されるため、より確実に同一の場所の探索の重複を防止することができる。また、残留者や移動困難者が存在する部屋が識別可能なように表示されるため、残留者や移動困難者の探索を効率的に行うことができる。また、閉鎖確認が完了した防火戸が識別可能なように表示されるため、防火戸の閉鎖確認の重複や確認漏れを防止することができる。
【００５９】
なお、図４に示される地図画面は、あくまで一例であり、その表示態様は図示の例に限られない。例えば、地図画面には、平面地図に代えて、立体地図や垂直断面地図が表示されてもよく、これらの異なる地図表示を任意に切り換えられるようにしてもよい。また、自衛消防隊員が滞在している部屋を点滅表示させ、探索が完了すると点滅を停止して、探索前と異なる色で点灯表示させるようにしてもよい。
【００６０】
次に、測位部２６について説明する。測位部２６は、公知の屋内測位技術を用いて端末装置２の位置情報を取得する測位手段である。測位部２６は、例えば、建物内に複数配設された複数の無線アクセスポイントから受信される、識別情報、電波の強度あるいは信号位相差、等に基づいて３点測位等により位置情報を取得する。
【００６１】
次に、制御部２１の機能的構成について説明する。制御部２１は、図３に示されるように、その機能的構成として、探索場所特定部２１１と、通知部２１２と、受付部２１３と、記憶制御部２１４と、表示制御部２１５とを備える。
【００６２】
探索場所特定部２１１は、探索場所情報を取得する。具体的には、探索場所情報として、測位部２６により取得される位置情報を取得するとともに、タッチパネル２４１上の操作でユーザに選択された部屋を示す部屋ＩＤを取得する。また、タッチパネル２４１上の操作でユーザに選択された防火戸を示す防火戸ＩＤを取得する。
【００６３】
通知部２１２は、通信部２３を介して支援装置１へ向けて、端末装置２からの情報を通知する通知手段であり、端末装置２の位置情報、探索完了報告、防火戸の閉鎖確認といった情報を支援装置１に通知する。具体的には、探索場所特定部２１１により取得された探索場所情報としての位置情報や、自衛消防隊員による探索が完了した部屋の部屋ＩＤや、自衛消防隊員による閉鎖確認が完了した防火戸を示す防火戸ＩＤを支援装置１に通知する。
【００６４】
受付部２１３は、通信部２３を介して、支援装置１からの情報を端末装置２が受け付ける受付手段であり、支援装置１からプッシュ通知される、初動情報を受け付ける。また、受付部２１３は、支援装置１から通知される、他の端末装置２の現在地情報を受け付ける。また、受付部２１３は、支援装置１から通知される、地図情報データベース２２１、部屋情報データベース２２３、防火戸情報データベース２２４の更新データを受け付ける。
【００６５】
記憶制御部２１４は、受付部２１３が受け付けた地図情報データベース２２１の更新データを記憶部２２に記憶させる。具体的には、支援装置１の地図情報データベース１２２に基づく更新データを、記憶部２２の地図情報データベース２２１に記憶させ、更新する。また、記憶制御部２１４は、端末装置２ごとの現在地を示す最新の探索場所情報としての現在地情報を記憶部２２に記憶させる。具体的には、記憶制御部２１４は、受付部２１３により受け付けられた支援装置１からの更新データであって、他の端末装置２の現在地情報を各端末装置２の端末ＩＤと関連付けて記憶部２２の位置情報データベース２２２に記憶させ、更新する。また、記憶制御部２１４は、自機の探索場所特定部２１１により取得された探索場所情報としての位置情報を自機の現在地情報として自機の端末ＩＤと関連付けて記憶部２２の位置情報データベース２２２に記憶させ、更新する。この自機の現在地情報としては、受付部２１３により受け付けられた支援装置１からの更新データであって、他の端末装置２の現在地情報とともに受け付けられる、自機の現在地情報であってもよい。
【００６６】
また、記憶制御部２１４は、端末装置２の探索場所特定部２１１が取得した探索場所情報に基づいて探索が完了したと判断された探索完了区画情報を蓄積し、探索履歴情報として記憶部２２に記憶させる。具体的には、記憶制御部２１４は、支援装置１の部屋情報データベース１２４に蓄積された探索完了区画情報の更新データであって、受付部２１３により受け付けられて探索完了となった部屋の部屋ＩＤについて、記憶部２２の部屋情報データベース２２３における当該部屋ＩＤの探索状況情報を「探索完了」に更新する。特に、自機の端末ＩＤと関連付けられた探索完了の部屋ＩＤを第１の探索履歴情報として、自機以外の端末ＩＤと関連付けられた探索完了の部屋ＩＤを第２の探索履歴情報として、それぞれ記憶するようにしてもよい。第１の探索履歴情報は自機が探索を完了させた部屋の部屋ＩＤ群に、第２の探索履歴情報は自機以外の端末装置２が探索を完了させた部屋の部屋ＩＤ群に、それぞれ相当し、自らが探索を完了させた部屋と他の自衛消防隊員が探索を完了させた部屋とを区別することができる。また、記憶制御部２１４は、端末装置２の探索場所特定部２１１が取得した探索場所情報に基づいて探索が進行中であると判断された探索進行中区画情報を第３の探索履歴情報として記憶部２２に記憶させる。具体的には、記憶制御部２１４は、支援装置１の部屋情報データベース１２４に記憶された探索進行中区画情報の更新データであって、受付部２１３により受け付けられて探索進行中となった部屋の部屋ＩＤについて、記憶部２２の部屋情報データベース２２３における当該部屋ＩＤの探索状況情報を「探索進行中」に更新する。
【００６７】
このように、記憶制御部２１４は、支援装置１の部屋情報データベース１２４に基づく更新データを、部屋情報データベース２２３に記憶させ、更新することによって、端末装置２は上記探索履歴情報を取得することができる。なお、支援装置１の部屋情報データベース１２４に基づく更新データを、部屋情報データベース２２３に記憶させ、更新することによって、同時に、部屋情報データベース２２３における部屋ＩＤ毎の、残留者および移動困難者の有無に関する情報も更新される。
【００６８】
また、記憶制御部２１４は、自衛消防隊員による閉鎖確認の対象となる防火戸について、防火戸ＩＤと、作動状況を示す情報と、閉鎖確認状況を示す情報とを関連付けて記憶部２２に記憶させる。具体的には、記憶制御部２１４は、支援装置１の防火戸情報データベース１２５に記憶された各防火戸に関する情報の更新データであって、受付部２１３により受け付けられた防火戸ＩＤと作動状況を示す情報と閉鎖確認状況とが関連付けられた防火戸に関する情報を、記憶部２２の防火戸情報データベース２２４に記憶させ、更新する。
【００６９】
表示制御部２１５は、記憶部２２に記憶される第１の探索履歴情報に基づいて、端末装置２（自機）を携帯する自衛消防隊員により残留者の探索が完了した場所を特定するための第１の表示情報を、防火対象物である建物における場所を示すように表示部２５に地図表示させる。第１の表示情報は、例えば、図４に例示される、網掛け表示される部屋Ｒ１、Ｒ２に相当する。また、表示制御部２１５は、記憶部２２に記憶される第２の探索履歴情報に基づいて、他の端末装置２を携帯する自衛消防隊員により残留者の探索が完了した場所を特定するための第２の表示情報を、防火対象物である建物における場所を示すように表示部２５に地図表示させる。第２の表示情報は、例えば、図４に例示される、網掛け表示される部屋Ｒ１０、Ｒ１５に相当する。第１の表示情報と第２の表示情報とは、異なる態様で表示し、自らが探索を完了させた部屋と他の自衛消防隊員が探索を完了させた部屋とを区別できるようにしてもよい。
【００７０】
また、表示制御部２１５は、記憶部２２に記憶される第３の探索履歴情報に基づいて、探索活動が進行中であると判断された場所を特定するための第３の表示情報を、防火対象物である建物における場所を示すように表示部２５に地図表示させる。第１、第２及び第３の表示情報のうち少なくとも１つは他の表示情報と異なる態様で表示される。第３の表示情報は、例えば、図４に例示される、その枠線が破線で表示される部屋Ｒ３、Ｒ９に相当する。
【００７１】
また、表示制御部２１５は、残留者や移動困難者が存在するなど優先して探索すべき情報が存在する場合は、この情報に基づいて探索活動の優先度の高さを示す第４の表示情報を表示する。第４の表示情報は、例えば、図４に例示される在室表示Ｓ３や移動困難者表示Ｓ４に相当する。このような場合、当該建物における複数の場所のうちの少なくとも１つの場所について、探索の優先度を示す第４の情報を、当該建物における場所を示すように表示部２５に地図表示する。
【００７２】
また、表示制御部２１５は、自衛消防隊による閉鎖確認の対象となる防火戸の位置を示す第５の表示情報を、防火対象物である建物における場所を示すように表示部２５に地図表示させる。この第５の表示情報は、閉鎖確認が完了していない防火戸の位置を示す情報としてもよく、図４に示した防火戸Ｄ１は、その表示の一例である。この場合、表示制御部２１５は、自衛消防隊による閉鎖確認が完了した防火戸の位置を示す第６の表示情報を第５の表示情報とは異なる態様で、上記建物における場所を示すように表示部２５に地図表示させる。図４に示した防火戸Ｄ２は、第６の表示情報の表示の一例である。
【００７３】
１−４．支援システムの動作
支援システム１００の動作について説明する。具体的には、異状発生時に建物内の残留者を探索する自衛消防隊の探索活動を支援する支援システム１００の動作について、図５乃至９を参照して説明する。なお、以下の動作説明では、その説明の便宜上、端末装置２Ａ、端末装置２Ｂをそれぞれ携帯する２名の自衛消防隊員によって同一フロア内で探索活動が行われる場合が想定されているが、探索活動を行う隊員の数は２名に限られず、３名以上であってもよい。
【００７４】
１−４−１．防災支援アプリ起動時の動作
図５は、端末装置２において防災支援アプリが起動される際の支援システム１００の動作の一例を示すシーケンス図であり、端末装置２を代表して端末装置２Ａについて記す。本動作では、建物内で異状が発生すると、端末装置２において自動的に防災支援アプリが起動され、当該建物の避難確認状況を確認することが可能となる。
【００７５】
支援装置１は、受信機３から異状信号を受信すると（Ｓａ１）、当該異状の発生を通知する初動情報を生成する（Ｓａ２）。具体的には、例えば、異状信号に含まれる感知手段の識別子と図示せぬ設置場所データベース（各感知手段の位置情報と識別子とを対応づけて記憶するデータベース）とに基づいて異状内容と異状の発生場所とを特定し、また、例えば、異状信号に基づいて異状の発生日時を特定して、これらの情報を通知する初動情報を生成する。そして、支援装置１は、隊員情報データベース１２１を参照して、この初動情報の通知先として端末装置２の通信アドレスまたは端末ＩＤを特定し、この通知先に対して初動情報をプッシュ通知する（Ｓａ３）。この初動情報は、通知先へプッシュ通知することによって防災支援アプリを起動させ、端末装置２の表示部２５に異状発生を通知する画面を表示させるための情報である。本動作説明では、初動情報が通知された端末装置２Ａについて説明する。
【００７６】
この初動情報のプッシュ通知を受信した端末装置２Ａは、当該通知が防災支援アプリを使用する通知であると判断し、防災支援アプリが起動されていない状態の場合には、当該アプリを起動する（Ｓａ４）。このとき端末装置２Ａは、自衛消防隊員による操作を待たずに自動的に防災支援アプリを起動する。そして、端末装置２Ａの表示制御部２１５は、起動した防災支援アプリに従って、受信した初動情報に基づいて図示せぬ初動画面を表示部２５に表示させる（Ｓａ５）。初動画面には、例えば、発生した異状の内容、発生日時、発生場所が表示される。この際、端末装置２Ａは、図示せぬスピーカを介して警報音又は警報メッセージを放音し、初動画面の表示を自衛消防隊員に報知してもよい。なお、支援装置１は、初動情報をプッシュ通知することに代えて、端末装置２Ａの防災支援アプリを起動させるための起動情報を通知先にプッシュ通知し、起動した端末装置２Ａの防災アプリが支援装置１から、初動画面を表示させるための情報としての初動情報を取得するようにしてもよい。
【００７７】
次に、端末装置２Ａの探索場所特定部２１１は、測位部２６により取得される位置情報を取得し（Ｓａ６）、端末装置２Ａの通知部２１２は、その位置情報を支援装置１に対して送信する（Ｓａ７）。その際、端末ＩＤと取得日時情報とを併せて送信する。この位置情報を受信し受け付けた支援装置１の記憶制御部１１４は、受け付けた位置情報を、併せて受け付けた端末ＩＤと取得日時情報と対応づけて位置情報データベース１２３に記憶する（Ｓａ８）。また、支援装置１の第１判断部１１２は、受け付けた位置情報に基づいて、自衛消防隊員の滞在場所として当該隊員が携帯する端末装置２Ａが存在する部屋を特定する（Ｓａ９）。具体的には、位置情報により表される座標値と、地図情報データベース１２２に記憶されている地図データとを照合して、当該座標値とマッチングする部屋の部屋ＩＤを特定する。なお、地図情報データベース１２２には、各部屋の領域を予め部屋ＩＤと関連付けて記憶させておく。部屋ＩＤが特定されると、支援装置１の記憶制御部１１４は、特定された部屋ＩＤに基づいて隊員情報データベース１２１を更新する（Ｓａ１０）。具体的には、隊員情報データベース１２１において、端末ＩＤと対応づけられる隊員の滞在場所情報を当該部屋ＩＤに更新する。図示しないが、その間、または、それまでに、支援装置１は、管理装置４から部屋ごとの残留者の有無を示す情報と移動困難者の有無を示す情報とを取得し、部屋情報データベース１２４の当該情報を最新の情報に更新しておくとよい。また、受信機３によって制御される開放型の防火戸が存在する場合は、受信機３から防火戸の作動状況を示す情報を取得して、防火戸情報データベース１２５の当該情報を最新の情報に更新しておくとよい。
【００７８】
次に、端末装置２Ａの通知部２１２は、記憶部２２に記憶される各種データベースの同期を要求する同期要求を支援装置１に対して送信する（Ｓａ１１）。具体的には、記憶部２２に記憶される地図情報データベース２２１と、位置情報データベース２２２と、部屋情報データベース２２３と、防火戸情報データベース２２４とを、それぞれ、支援装置１に記憶される地図情報データベース１２２、位置情報データベース１２３の端末ＩＤごとの最新データ、部屋情報データベース１２４、防火戸情報データベース１２５と同期させるための同期要求を送信する。この同期要求を受信した支援装置１の通知部１１３は、同期元となる各データベースの更新データを端末装置２Ａに対して送信する（Ｓａ１２）。ここで、更新データとは、同期元となる各データベースにおいて前回の同期後に新たに更新されたデータを指す。この更新データを受信した端末装置２Ａの記憶制御部２１４は、受信した更新データに基づいて地図情報データベース２２１と、位置情報データベース２２２と、部屋情報データベース２２３と、防火戸情報データベース２２４とを更新する（Ｓａ１３）。なお、位置情報データベース２２２において、自機の端末ＩＤの現在地情報は、支援装置１からの更新データに依らず、ステップＳａ６で取得した位置情報を記憶させるようにしてもよい。また、先に述べたように地図情報データベース２２１の更新はこれに限るものではなく、異状が発生して防災支援アプリを起動させたときに地図情報データベース１２２の地図データをダウンロードするようにしてもよいし、地図情報データベース１２２の変更時にアップデートされるようにしてもよいし、地図情報データベース１２２と日常的に同期されるようにしてもよく、最新の地図データを格納するようにする。
【００７９】
上記データベースの同期後、自衛消防隊員が防災支援アプリを利用して、建物の所定のフロアを選択して当該フロアの地図表示を指示すると（Ｓａ１４）、端末装置２Ａの表示制御部２１５は、図４に例示される地図画面を表示部２５に表示させる（Ｓａ１５）。この地図画面は、最新の情報に更新された地図情報データベース２２１に基づいて表示される当該フロアの平面地図に、最新の情報に更新された位置情報データベース２２２、部屋情報データベース２２３、防火戸情報データベース２２４に基づいた、自衛消防隊員の位置、残留者の有無、移動困難者の有無、防火戸の作動状況が、重ねて表示される。また、異状が発生したフロアの地図画面においては異状発生場所も表示される。このとき端末装置２Ａは、初動の動作を完了したものとして支援装置１へ初動完了信号を送信し、以後、端末装置２Ａを携帯する自衛消防隊員は探索活動に入ることとしてもよい。また、端末装置２Ａを携帯する自衛消防隊員が探索活動を開始するときの端末装置２Ａの操作によって、支援装置１へ初動完了信号を送信するようにしてもよい。また、支援装置１が、端末装置２Ａからの同期要求（ステップＳａ１１）を受け付けることによって、あるいは、さらに所定時間が経過することによって、端末装置２Ａの初動の動作が完了したと判断してもよい。
以上が、防災支援アプリ起動時の動作についての説明である。
【００８０】
なお、上記のステップＳａ３において支援装置１からプッシュ通知で送信される初動情報は、ＧＣＭサービスを提供するＧＣＭサーバや、ＡＰＮサービスを提供するＡＰＮＳサーバ等の、プッシュ通知サービス提供者が設けたプッシュ通知用通知装置を介して端末装置２Ａに送信されてもよい。このときも、初動情報をプッシュ通知で送信することに代えて、防災支援アプリを起動させるための起動情報を、プッシュ通知用通知装置を介して端末装置２Ａにプッシュ通知で送信させ、起動した端末装置２Ａの防災アプリが支援装置１から、初動画面を表示させるための情報としての初動情報を取得するようにしてもよい。
【００８１】
また、上記のステップＳａ１１では、端末装置２Ａが存在するフロアに関する情報の同期のみを支援装置１に要求するようにしてもよい。具体的には、当該フロアに存在する部屋と防火戸に関する情報と、当該フロアに存在する端末装置２の位置情報の同期のみを支援装置１に要求するようにしてもよい。また、ステップＳａ１１において端末装置２Ａが存在するフロアに限定しない同期要求であったとしても、ステップＳａ１２において、更新データを当該フロアの情報のみとして支援装置１から送信するようにしてもよい。また、端末装置２Ａを携帯する自衛消防隊員の操作により指定されたフロアに関する情報についてのみ、端末装置２Ａが支援装置１に同期を要求するようにしてもよいし、支援装置１が更新データを送信するようにしてもよい。
【００８２】
１−４−２．探索活動時の測位動作
上記のような防災支援アプリ起動時の動作を終え、自衛消防隊員が探索活動を行うときに、端末装置２において測位を行うときの支援システム１００の動作について説明する。図６は、端末装置２において測位が行われた際に実行される支援システム１００の動作の一例を示すシーケンス図であり、端末装置２を代表して端末装置２Ａについて記す。本動作では、端末装置２Ａを携帯する自衛消防隊員の位置情報が、支援装置１を介して端末装置２Ｂを携帯する隊員に共有される。
【００８３】
上記のように防災支援アプリの起動後、端末装置２Ａの探索場所特定部２１１は、測位部２６が取得した位置情報を一定の間隔で取得する（Ｓｂ１）。この場合の一定の間隔は、一定の時間間隔に加え、一定の移動距離間隔であってもよい。このときの移動距離は、測位部２６が取得した位置情報の変化に基づいて決定されてもよいし、端末装置２Ａに備わる加速度センサとジャイロセンサの検出値に基づいて決定されてもよい。このように一定の時間間隔に加え、さらに一定の移動距離間隔で位置情報を取得するようにしておくと、端末装置２Ａを携帯する自衛消防隊員が、怪我等によって動けない場合であっても位置情報を取得できない期間を生ずることがなく、また、高速で移動、例えば走るなどしても、移動中の位置情報に空白部分を生ずることなく、連続的に位置情報の変化を捉えることができる。ひいては、後述する応援の要請や移動軌跡の表示が可能となる。
探索場所特定部２１１により位置情報が取得されると、端末装置２Ａの記憶制御部２１４は、その位置情報を、自機の端末ＩＤ、取得日時と対応づけて自機の現在地情報として位置情報データベース２２２に記憶する（Ｓｂ２）。そして、端末装置２Ａの表示制御部２１５は、その更新された位置情報データベース２２２に基づいて、表示部２５に表示される地図画面を更新する（Ｓｂ３）。この更新の結果、例えば、自衛消防隊員が前回の測位時と比べて移動している場合には、当該移動に応じて隊員表示Ｓ１の位置が変化した地図画面が表示される。
【００８４】
また、端末装置２Ａの通知部２１２は、取得した位置情報を支援装置１に対して送信する（Ｓｂ４）。その際、端末ＩＤと取得日時情報とを併せて送信する。なお、上記において、探索場所特定部２１１が取得した自機の位置情報は、上記ステップＳｂ２、Ｓｂ３を実行せず、支援装置１に対して送信するようにしてもよい（Ｓｂ４）。この場合は、後述する支援装置１からの更新データ（Ｓｂ９）に基づいて、他の端末装置２の現在地情報とともに自機の現在地情報を位置情報データベース２２２に記憶すればよい。
位置情報を受信した支援装置１の記憶制御部１１４は、受信した位置情報を、併せて受信した端末ＩＤと取得日時情報と対応づけて位置情報データベース１２３に記憶する（Ｓｂ５）。このときの取得日時情報は、端末装置２Ａが送信した情報に代えて、支援装置１が端末装置２Ａから位置情報を取得した日時情報としてもよい。また、支援装置１の第１判断部１１２は、受信した位置情報に基づいて、端末装置２Ａを携帯する自衛消防隊員が滞在する部屋を特定する（Ｓｂ６）。具体的には、位置情報により表される座標値と、地図情報データベース１２２に記憶されている地図データとを照合して、当該座標値とマッチングする領域の部屋の部屋ＩＤを特定する。部屋ＩＤが特定されると、支援装置１の記憶制御部１１４は、特定された部屋ＩＤに基づいて部屋情報データベース１２４を更新する（Ｓｂ７）。具体的には、部屋情報データベース１２４において当該部屋ＩＤと対応づけられる探索状況情報を探索進行中に更新する。なお、この際すでに探索状況情報が探索進行中となっている場合には、更新を省略する。また、探索状況情報が探索完了となっている場合には、当該部屋ＩＤの探索状況情報が更新されないようにし、重複した探索を防止するようにしておく。
【００８５】
また、記憶制御部１１４は、第１判断部１１２に特定された部屋ＩＤに基づいて隊員情報データベース１２１を更新する（Ｓｂ８）。具体的には、隊員情報データベース１２１において、受信した端末ＩＤと対応する隊員の滞在場所情報に特定した部屋ＩＤを記憶し、更新する。また、記憶制御部１１４は、当該端末ＩＤと当該部屋ＩＤの組を端末装置２ごとの滞在場所としてＲＡＭに格納しておく。ＲＡＭに格納した情報を更新するタイミングについては後述する。ここで隊員情報データベース１２１とＲＡＭに記憶される部屋ＩＤは、後述する応援要請の要否判断時の動作において参照される。なお、ＲＡＭに格納する上記部屋ＩＤに代えて位置情報を記憶するようにしてもよい。
【００８６】
データベースの更新が完了すると、支援装置１の通知部１１３は、当該データベースの更新データを端末装置２Ａと端末装置２Ｂに対して送信する（Ｓｂ９、Ｓｂ１０）。具体的には、位置情報データベース１２３の端末ＩＤごとの現在地情報としての最新の位置情報と、部屋情報データベース１２４の探索状況情報とについて、更新されたデータを送信する。端末装置２において、位置情報データベース２２２に自機の現在地情報としての位置情報を記憶する場合は、当該端末装置２に送信する更新データのうち、当該端末装置２の現在地情報としての最新の位置情報を送信しなくてもよい。また、端末ＩＤごとの現在地情報としての最新の位置情報に代えて、隊員情報データベース１２１の隊員の端末ＩＤごとの滞在場所情報を更新データとして送信するようにしてもよい。なお、更新データは上記に限るものではなく、後述する他の更新データと併せて送信するようにしてもよい。上記更新データを受信した端末装置２Ａの記憶制御部２１４は、その更新データに基づいて、位置情報データベース２２２と部屋情報データベース２２３とを更新する（Ｓｂ１１）。具体的には、位置情報データベース２２２においては、端末ＩＤごとの最新の位置情報を端末ＩＤごとの現在地情報として記憶し、更新する。なお、自機の探索場所特定部２１１が取得した位置情報を自機の現在地情報として位置情報データベース２２２に記憶する場合は（Ｓｂ２）、このステップＳｂ１１では自機の端末ＩＤに対応する現在地情報を更新する必要はない。また、位置情報データベース２２２には、更新データの上記現在地情報に代えて、端末ＩＤごとの滞在地情報としての部屋ＩＤを記憶し、更新するようにしてもよい。さらに、部屋情報データベース２２３においては、受信した部屋ＩＤと対応づけられる探索状況情報を記憶し、更新する。このとき、更新データの探索状況情報が探索進行中となった部屋については、探索が進行中であると判断された探索進行中区画情報である第３の探索履歴情報として記憶し、当該部屋ＩＤの探索状況情報は探索進行中に更新される。そして、端末装置２Ａの表示制御部２１５は、その更新された位置情報データベース２２２と部屋情報データベース２２３とに基づいて、表示部２５に表示される地図画面を更新する（Ｓｂ１２）。例えば、位置情報データベース２２２において、隊員表示Ｓ１で示された自衛消防隊員の現在地情報が部屋Ｒ４の領域となった場合には、隊員表示Ｓ１が部屋Ｒ４内の所定位置に表示される。また、部屋情報データベース２２３において、図４に示される部屋Ｒ４の探索状況情報が探索進行中に更新された場合には、探索が進行中であると判断された場所を特定するための第３の表示情報として、部屋Ｒ４の枠線を破線で表示する地図画面が表示される。
【００８７】
更新データを受信した端末装置２Ｂの記憶制御部２１４は、端末装置２Ａと同様に、その更新データに基づいて、位置情報データベース２２２と部屋情報データベース２２３とを更新する（Ｓｂ１３）。そして、端末装置２Ｂの表示制御部２１５は、端末装置２Ａと同様に、その更新された位置情報データベース２２２と部屋情報データベース２２３に基づいて、表示部２５に表示される地図画面を更新する（Ｓｂ１４）。
以上が、測位時の動作についての説明である。
【００８８】
なお、上記のステップＳｂ１０において支援装置１は、端末装置２Ａと同じフロアに存在する端末装置２に対してのみ更新データを送信するようにしてもよい。
【００８９】
１−４−３．探索完了時の動作
図７は、端末装置２Ａを携帯する自衛消防隊員によってある部屋の探索が完了した際に実行される支援システム１００の動作の一例を示すシーケンス図である。本動作では、端末装置２Ａを携帯する隊員によって探索が完了した部屋の情報が、支援装置１を介して端末装置２Ｂを携帯する隊員に共有される。
【００９０】
図４に例示される地図画面が表示部２５に表示させている状態において、端末装置２Ａを携帯し隊員表示Ｓ１で示された自衛消防隊員が部屋Ｒ３の探索を完了し、タッチパネル２４１上でこの部屋Ｒ３をタップする選択操作を行うと（Ｓｃ１）、探索場所特定部２１１は、その操作位置に基づいて、選択操作された部屋Ｒ３の部屋ＩＤを取得する。上記タップは、タッチパネル２４１上で選択操作部分を１回叩く一般のタップに加え、当該部分を長押しするロングタップ、当該部分を２回叩くダブルタップ等、他の操作であってもよい。探索場所特定部２１１により部屋ＩＤが取得されると、端末装置２Ａの記憶制御部２１４は、部屋情報データベース２２３において、その部屋ＩＤと対応づけられる探索状況情報を探索完了に更新する（Ｓｃ２）。このとき更新された情報は、自機の前記探索場所特定部２１１が取得した部屋ＩＤに基づいて探索が完了したと判断された探索完了区画情報を蓄積した第１の探索履歴情報に相当する。そして、端末装置２Ａの表示制御部２１５は、その更新された部屋情報データベース２２３に基づいて、表示部２５に表示される地図画面を更新する（Ｓｃ３）。この更新の結果、例えば、部屋情報データベース２２３において部屋Ｒ３に対応づけられる探索状況情報が探索完了に更新された場合には、自機を携帯する自衛消防隊員によって残留者の探索が完了した場所を特定するための第１の表示情報として、部屋Ｒ３が網掛けで表示される地図画面が表示される。
【００９１】
また、端末装置２Ａの通知部２１２は、その取得された部屋ＩＤを含む探索完了報告を支援装置１に対して送信する（Ｓｃ４）。この探索完了報告を受信した支援装置１の記憶制御部１１４は、その探索完了報告に応じて部屋情報データベース１２４を更新する（Ｓｃ５）。具体的には、部屋情報データベース１２４において、受信した部屋ＩＤと対応づけられる探索状況情報に探索完了を記憶し、更新する。なお、この際すでに探索状況情報が探索完了となっている場合には、更新を省略する。どの端末装置２が探索を完了させたかを区別する場合、ステップＳｃ２、Ｓｃ５で記憶させる探索状況情報、ステップＳｃ４で送信する探索完了報告は、端末ＩＤと関連付けるようにする。このようにすることにより、端末装置２は、探索状況情報に関連付けられて記憶される端末ＩＤに基づいて、探索完了となった部屋を探索した端末装置２が自機２Ａであるか、自機２Ａ以外であるかを識別できるように異なった態様で表示することが可能となる。
【００９２】
上記のようにデータベースの更新が完了すると、支援装置１の通知部１１３は、当該データベースの更新データを端末装置２Ｂに対して送信する（Ｓｃ６）。具体的には、上記の部屋ＩＤと、上記更新された探索状況情報とを送信する。更新データを受信した端末装置２Ｂの記憶制御部２１４は、その更新データに基づいて部屋情報データベース２２３を更新する（Ｓｃ７）。具体的には、部屋情報データベース２２３において、受信した部屋ＩＤと対応づけられる探索状況情報を探索完了に更新する。このように端末装置２Ａによって探索が完了した部屋に関して更新された情報は、端末装置２Ｂでは、自機以外の端末装置による探索が完了したと判断された探索完了区画情報としての第２の探索履歴情報に相当する。そして、端末装置２Ｂの表示制御部２１５は、その更新された部屋情報データベース２２３に基づいて、表示部２５に表示される地図画面を更新する（Ｓｃ８）。この更新の結果、端末装置２Ｂで表示される地図画面では、自機以外を携帯する自衛消防隊員によって残留者の探索が完了した場所を特定するための第２の表示情報として、部屋Ｒ３が網掛けで表示される。どの端末装置２が探索を完了させたかを区別する場合、ステップＳｃ２、Ｓｃ５、Ｓｃ７で記憶させる探索状況情報、ステップＳｃ４で送信する探索完了報告、ステップＳｃ６で送信する更新データは、端末ＩＤと関連付けるようにする。このようにすることにより、端末装置２は、探索状況情報に関連付けられて記憶される端末ＩＤに基づいて、探索完了となった部屋を探索した端末装置が自機２Ｂであるか、自機２Ｂ以外であるかを識別できるように異なった態様で表示することが可能となる。
以上が、探索完了時の動作についての説明である。このようにすることにより、端末装置を携帯する自衛消防隊員は、建物内の残留者を探索する際に自身の位置や探索の状況を把握でき、パニックに陥ることなく、同一の場所の探索の重複や探索漏れを防止することができる。
【００９３】
なお、端末装置２Ａの探索場所特定部２１１が部屋Ｒ３の部屋ＩＤを取得することに代えて、端末装置２Ａで取得した位置情報に基づいて支援装置１が探索完了と判断し、この情報に基づいて端末装置２Ａの表示部２５に表示される地図画面を更新するようにしてもよい。この場合、上記ステップＳｃ２では、部屋情報データベース２２３を更新することに代えて、測位部２６に位置情報を取得させる。さらに、上記ステップＳｃ３では、画面２５１を更新することに代えて、探索場所特定部２１１に測位部２６が取得した位置情報を取得させる。さらに、上記ステップＳｃ４で送信する探索完了報告は、部屋ＩＤを送信することに代えて、探索場所特定部２１１が取得した位置情報を送信するようにする。そして、上記ステップＳｃ５では、探索完了した部屋ＩＤを含む探索完了報告に基づいて部屋情報データベース１２４を更新することに代えて、地図情報データベース１２２を参照し、受信した探索完了報告で示された位置情報に基づいて探索が完了した部屋を特定して当該部屋ＩＤを取得し、部屋情報データベース１２４において、当該部屋ＩＤと対応づけられる探索状況情報を探索完了に更新する。さらに、上記ステップＳｃ６では、端末装置２Ｂへ更新データを送信することに加えて、端末装置２Ａにも更新データを送信する。そして、この更新データを受信した端末装置２Ａは、この更新データを受信した端末装置２Ｂと同様に、部屋情報データベース２２３を更新し（ステップＳｃ７と同等）、その更新された部屋情報データベース２２３に基づいて、表示制御部２１５が表示部２５に表示される地図画面を更新するようにする（ステップＳｃ８と同等）。このようにすることにより、端末装置２Ａでのタップ位置に関係無く正しい部屋の表示が更新されるので、端末装置２Ａでの誤操作で誤った部屋の探索完了報告がされてしまう事態が回避される。さらに、上記の選択操作の操作位置に基づいて、ステップＳｃ３では、位置情報に加えて選択操作された部屋Ｒ３の部屋ＩＤを取得し、ステップＳｃ４で、これらを関連付けて探索完了報告として支援装置１へ送信するようにしてもよい。この探索完了報告を受信した支援装置１は、地図情報データベース１２２を参照し探索完了報告の位置情報に基づいて対応する部屋を特定して部屋ＩＤを特定し、これと探索完了報告の部屋ＩＤとが一致する場合に受け付けるようにする。このようにすれば、まだ探索のために入室すらしていないにもかかわらず、誤操作によって探索完了報告が支援装置１に送信されてしまうといった事態が回避される。また、端末装置２の地図情報データベース２２１に、部屋ごとの領域を記憶するようにしておくと、探索完了報告を行う端末装置２Ａ自体で、タップ位置の誤操作による誤った探索完了報告を防止することができる。すなわち、上記のステップＳｃ１において、位置情報を取得することによって地図情報データベース２２１を参照して特定した端末装置２Ａが存在する部屋（すなわち、その枠線が破線で表示されている部屋）についてのみタップ操作を受け付けるようにしておくとよい。このようにしても、まだ探索のために入室すらしていないにもかかわらず、誤操作によって探索完了報告が支援装置１に送信されてしまうといった事態が回避される。
【００９４】
また、上記のステップＳｃ１では、自衛消防隊員がタッチパネル２４１上で部屋をタップする選択操作を行うことにより、探索が完了した部屋が特定されているが、隊員による明示的な操作がなくても、隊員が部屋を退出したことや、入室したことを検出することにより、自動的に当該部屋の探索が完了したと判断するようにしてもよい。この場合、例えば、上記の図６に示される探索活動時の測位動作において、ステップＳｂ８で更新される隊員情報データベース１２１の滞在場所情報が、前回測位時に更新された滞在場所情報と部屋ＩＤが異なっている場合に、更新前の部屋ＩＤに示される部屋に対する探索が完了したものと判断するようにしてもよい。また、例えば、入退室管理システムで自衛消防隊員が入退室した部屋の情報を検出し、その情報を支援装置１が管理装置４を介して取得すると、支援装置１が当該部屋の探索が完了したものと判断するようにしてもよい。また、例えば、上記ステップＳｃ１において、端末装置２の測位部２６が、建物の各部屋に設けたＲＦＩＤタグ等の電子タグ、Ｂｌｕｅｔｏｏｔｈ（登録商標）等のＮＦＣ（近距離無線通信）や非接触型ＩＣカードの端末等より区画情報としての部屋ＩＤを取得するようにし、取得した部屋ＩＤについて上記ステップＳｃ４において探索完了報告を自動的に送出するようにしてもよい。そして、上記のように、自衛消防隊員の入退室した部屋の情報に基づいて、上記のステップＳｃ１〜Ｓｃ４を実行することなく、この部屋ＩＤを上記のステップＳｃ５において探索が完了した部屋を示すものとして取得し、部屋情報データベース１２４の探索状況情報を探索完了とする。
【００９５】
また、上記のステップＳｃ６において支援装置１は、端末装置２Ａと同じフロアに存在する端末装置２に対してのみ更新データを送信するようにしてもよい。
【００９６】
１−４−４．防火戸の閉鎖確認時の動作
図８は、端末装置２Ａを携帯する自衛消防隊員によってある防火戸の閉鎖確認が行われた際に実行される支援システム１００の動作の一例を示すシーケンス図である。本動作では、端末装置２Ａを携帯する隊員によって閉鎖確認が完了した防火戸の情報が、支援装置１を介して端末装置２Ｂを携帯する隊員に共有される。
【００９７】
図４に例示される表示部２５に表示させている地図画面には、自衛消防隊による閉鎖確認の対象となる防火戸の位置を示す第５の表示情報が建物における場所を示すように表示されている。この状態において、端末装置２Ａを携帯し隊員表示Ｓ１で示された自衛消防隊員が防火戸Ｄ１の閉鎖確認を行い、タッチパネル２４１上でこの防火戸Ｄ１をタップする選択操作を行うと（Ｓｄ１）、探索場所特定部２１１は、その操作位置に基づいて、選択操作された防火戸Ｄ１の防火戸ＩＤを取得する。上記タップは、タッチパネル２４１上で選択操作部分を１回叩く一般のタップに加え、当該部分を長押しするロングタップ、当該部分を２回叩くダブルタップ等、他の操作であってもよい。探索場所特定部２１１により防火戸ＩＤが取得されると、端末装置２Ａの記憶制御部２１４は、防火戸情報データベース２２４において、その防火戸ＩＤと対応づけられる閉鎖確認状況を確認済みに更新する（Ｓｄ２）。そして、端末装置２Ａの表示制御部２１５は、その更新された防火戸情報データベース２２４に基づいて、表示部２５に表示される地図画面を更新する（Ｓｄ３）。この更新の結果、自衛消防隊による閉鎖確認が完了した防火戸の位置を示す第６の表示情報を第５の表示情報とは異なる態様で、建物における場所を示すように表示部２５に地図表示させる。例えば、防火戸情報データベース２２４において防火戸Ｄ１に対応づけられる閉鎖確認状況が確認済みに更新された場合には、防火戸Ｄ１が太い実線で表示される地図画面が表示される。
【００９８】
また、端末装置２Ａの通知部２１２は、その取得された防火戸ＩＤを含む閉鎖確認報告を支援装置１に対して送信する（Ｓｄ４）。この閉鎖確認報告を受信した支援装置１の記憶制御部１１４は、その閉鎖確認報告に応じて防火戸情報データベース１２５を更新する（Ｓｄ５）。具体的には、防火戸情報データベース１２５において、受信した防火戸ＩＤと対応づけられる閉鎖確認状況を確認済みに更新する。なお、この際すでに閉鎖確認状況が確認済みとなっている場合には、更新を省略する。
【００９９】
上記のようにデータベースの更新が完了すると、支援装置１の通知部１１３は、当該データベースの更新データを端末装置２Ｂに対して送信する（Ｓｄ６）。具体的には、上記の防火戸ＩＤと、上記更新された閉鎖確認状況情報とを送信する。更新データを受信した端末装置２Ｂの記憶制御部２１４は、その更新データに基づいて防火戸情報データベース２２４を更新する（Ｓｄ７）。具体的には、防火戸情報データベース２２４において、受信した防火戸ＩＤと対応づけられる閉鎖確認状況を確認済みに更新する。そして、端末装置２Ｂの表示制御部２１５は、その更新された防火戸情報データベース２２４に基づいて、表示部２５に表示される地図画面を更新する（Ｓｄ８）。この更新の結果、端末装置２Ｂで表示される地図画面でも、例えば防火戸Ｄ１が太い実線で表示される。どの端末装置２が閉鎖確認したかを区別する場合、ステップＳｄ２、Ｓｄ５、Ｓｄ７で記憶させる閉鎖確認状況、ステップＳｄ４で送信する閉鎖確認報告、ステップＳｄ６で送信する更新データは、端末ＩＤと関連付けるようにする。このようにすることにより、端末装置２は、閉鎖確認状況に関連付けられて記憶される端末ＩＤに基づいて、閉鎖確認済みとなった防火戸の閉鎖を確認した端末装置２が自機２Ｂであるか、自機２Ｂ以外であるかを識別できるように異なった態様で表示することが可能となる。
【０１００】
また、上記のステップＳｄ６において支援装置１は、端末装置２Ａと同じフロアに存在する端末装置２に対してのみ更新データを送信するようにしてもよい。
【０１０１】
なお、上記のステップＳｄ１におけるタッチパネル２４１上のタップに基づく閉鎖確認報告は、端末装置２Ａから所定の範囲内に位置する防火戸の閉鎖確認報告についてのみ受け付けるようにしてもよい。例えば、端末装置２Ａの探索場所特定部２１１は、タッチパネル２４１上でタップされた防火戸Ｄ１の防火戸ＩＤを取得するとともに測位部２６より位置情報を取得し、上記ステップＳｄ４において、取得した位置情報を含めて閉鎖確認報告を行う。そして、この閉鎖確認報告を受信した支援装置１は、地図情報データベース１２２を参照して、閉鎖確認報告された防火戸ＩＤで示される防火戸Ｄ１と端末装置２Ａの位置情報とに基づいて、両者の距離が所定の範囲内である場合に限って上記閉鎖確認報告を受け付け、ステップＳｄ５で防火戸情報データベース１２５を更新するようにする。端末装置２Ａは、ステップＳｄ２、Ｓｄ３を実行せず、支援装置１が更新された防火戸情報データベース１２５に基づいて端末装置２Ｂへ向けて送信する更新データを、端末装置２Ａもともに受信することによって、防火戸情報データベース２２４を更新し、更新された情報に基づいて表示部２５の地図画面を更新するようにする。このようにすれば、まだ閉鎖確認を行っていないにもかかわらず、誤操作によって閉鎖確認完了報告が支援装置１に送信されてしまうといった事態が回避される。また、上記ステップＳｄ１において、端末装置２の測位部２６が、防火戸Ｄ１に設けたＲＦＩＤタグ等の電子タグ、Ｂｌｕｅｔｏｏｔｈ（登録商標）等のＮＦＣ（近距離無線通信）や非接触型ＩＣカードの端末等より防火戸ＩＤを直接取得するようにしてもよい。そして、取得した防火戸ＩＤについて上記ステップＳｄ４において閉鎖確認報告を自動的に送出するようにしてもよい。このようにすれば、防火戸に接近しない限り閉鎖確認報告することができないので、まだ閉鎖確認を行っていないにもかかわらず、誤操作によって閉鎖確認完了報告が支援装置１に送信されてしまうといった事態が回避される。
以上が、防火戸の閉鎖確認時の動作についての説明である。このようにすることにより、端末装置を携帯する自衛消防隊員は、閉鎖確認を要する防火戸や防火戸の閉鎖確認状況を把握でき、パニックに陥ることなく、防火戸の閉鎖確認の重複や確認漏れを防止することができる。なお、防火戸閉鎖確認は、先に述べた探索活動と並行して行われるようにしてもよい。
【０１０２】
１−４−５．応援要請の要否判断時の動作
図９は、支援装置１において実行される、探索活動中の自衛消防隊員に対する応援の要請の要否を判断するための動作の一例を示すフローチャートである。本動作では、各隊員が一定の場所に滞在する時間を計測し、その計測時間が長時間となる場合には現場で何らかの事件が発生しているものと判断し、現場からの応援要請がなくとも他の隊員を応援に派遣する。上記事件としては、例えば、当該自衛消防隊員自身に何らかの障害が発生している、要救援残留者を発見し当該自衛消防隊員が移動できない事情が発生している、などが考えられる。本動作は、端末装置２ごとに実行され、例えば、探索活動時の最初の測位を契機として実行される。以下の説明では、端末装置２Ａを携帯する隊員に対する応援の要否を判断する場合について説明する。
【０１０３】
支援装置１の計測部１１５は、上記の図６に示されるステップＳｂ８において、端末装置２Ａの端末ＩＤと部屋ＩＤの組が端末装置２ごとの滞在場所としてＲＡＭに格納されると、計時を開始する（Ｓｅ１）。計時開始後、支援装置１の第２判断部１１６は、端末装置２Ａを携帯する自衛消防隊員の滞在場所が変化したか否かを判断する（Ｓｅ２）。具体的には、ＲＡＭにおいて当該端末装置２Ａの端末ＩＤと対応づけられている部屋ＩＤが、隊員情報データベース１２１において当該装置の端末ＩＤと対応づけられている部屋ＩＤと異なるか否かを判断する。
【０１０４】
この判断の結果、滞在場所が変化していた場合には（Ｓｅ２のＹＥＳ）、支援装置１の記憶制御部１１４は、ＲＡＭにおいて端末ＩＤと対応づけられている部屋ＩＤを更新し（Ｓｅ８）、計測部１１５は計時値をリセットして計時を再開する（Ｓｅ７）。一方、この判断の結果、滞在場所が変化していない場合には（Ｓｅ２のＮＯ）、第２判断部１１６は、所定の設定時間が経過したか否かを判断する（Ｓｅ３）。具体的には、計測部１１５の計時値が所定の設定時間を超えているか否かを判断する。この所定の設定時間は、部屋の大きさや構造等によって、巡回するなど探索に要する時間が部屋ごとに異なると考えられることから、部屋（具体的には部屋ＩＤ）ごとに探索に要すると想定される時間の最大値として予め決定されて登録しておくようにしてもよい。
【０１０５】
この判断の結果、所定の設定時間が経過していない場合には（Ｓｅ３のＮＯ）、処理はステップＳｅ２に戻る。一方、この判断の結果、所定の設定時間が経過した場合には（Ｓｅ３のＹＥＳ）、支援装置１の要請部１１７は、応援の要請先を特定する（Ｓｅ４）。具体的には、例えば、隊員情報データベース１２１に記憶される滞在場所情報を参照して、端末装置２Ａと同じフロアに存在する端末装置２を特定する。要請先の特定後、要請部１１７は、特定された端末装置２の通信アドレスや端末ＩＤ等に対して応援要請を送信する（Ｓｅ５）。この応援要請には、例えば、端末装置２Ａを携帯する自衛消防隊員の探索活動に対する応援を要請するメッセージと、当該隊員の滞在場所を示す情報とが含まれる。この応援要請の送信後、再び当該隊員の滞在場所が変化するまで計測部１１５の計時は維持し（Ｓｅ６のＮＯ）、当該隊員の滞在場所が再び変化した場合は（Ｓｅ６のＹＥＳ）計時値をリセットして計時を再開する（Ｓｅ７）。
以上が、応援要請の要否判断時の動作についての説明である。
【０１０６】
以上説明した動作によれば、応援が必要と判断される人員に対する応援を自動的に他の人員に要請することができる。
【０１０７】
なお、上記のステップＳｅ２において、当該端末装置２Ａの端末ＩＤと対応づけられてＲＡＭに記憶された滞在場所が部屋ＩＤではなく位置情報で示される場合、当該位置情報が、位置情報データベース１２３において当該装置の端末ＩＤと対応づけられている最新の位置情報と所定距離以上異なるか否かを判断するようにする。また、上記のステップＳｅ４において特定される要請先は、端末装置２Ａと同じフロアに存在する端末装置２に限られない。例えば、端末装置２Ａの最も近くに位置する端末装置２であってもよいし、建物内に存在する全ての端末装置２であってもよい。このとき、移動困難者が残留しているフロアの端末装置２を要請先の特定対象から外すようにしてもよい。また、上記のステップＳｅ６において、応援対象の端末装置２の滞在場所が移動したことによらず、応援にかけつけた自衛消防隊員が携帯する端末装置２から、応援完了等の情報が入ることによってステップＳｅ７での計時値のリセットへ進むようにしてもよい。
【０１０８】
２．変形例
上記の実施形態は下記のように変形してもよい。また、下記の変形例は他の１以上の変形例と組み合わせてもよい。
【０１０９】
２−１．変形例１
上記の実施形態では、端末装置２の測位部２６は、例えば、無線アクセスポイントからの電波に基づいて位置情報を取得していたが、これに限るものではない。例えば測位部２６は、建物内に複数配設された無線アクセスポイントに代えて、建物内に複数配設された、電波、超音波等の音波、赤外線等の光等の放射ポイントから受信される、識別情報、放射強度あるいは信号位相差、等に基づいて３点測位等により位置情報を取得してもよい。あるいは、測位部２６は、擬似衛星ＧＰＳ（Global Positioning System）（スードライト）や、ＧＰＳリピータや、ＩＭＥＳ（Indoor Messaging System）等の測位システムを利用して位置情報を取得してもよい。あるいは、測位部２６は、建物に配設された、ＱＲコード（登録商標）等の受動的光学標識、音波や光、あるいは、ＲＦＩＤタグやＢＬＥ（Bluetooth（登録商標） Low Energy）等電波を利用した電子標識や近接無線通信装置（ＮＦＣ装置）によって、その配設場所の位置情報を電子標識やＮＦＣ装置から取得するようにしてもよい。また、このような電子標識やＮＦＣ装置が固有の識別子を備えるようにし、測位部２６が上記識別子を取得し、予め登録しておいた電子標識やＮＦＣ装置の識別子ごとの位置情報を示すデータベースを参照して、位置情報を取得するようにしてもよい。あるいは、これらの測位技術によって出発地点のみ位置情報を取得し、その後は端末装置２に備わる加速度センサとジャイロセンサを用いた慣性航法等の自律航法により位置情報を取得するようにしてもよい。また、上記自律航法に建物内の要所に配設した上記電子標識や上記ＮＦＣ装置を併用し、自律航法で生ずる位置情報の誤差を電子標識やＮＦＣ装置に基づいて補正するようにしてもよい。あるいは、上記電子標識や上記ＮＦＣ装置が入退室管理システムの端末であって、測位部２６が入退室信号を取得したり、測位部２６から端末装置２の端末ＩＤを取得させたりし、管理装置４と支援装置１とを介して入退室管理システムから位置情報を取得するようにしてもよい。また、位置情報を取得することに代えて、端末装置２の測位部２６が、建物の各部屋に設けたＲＦＩＤタグ等の電子タグ、Ｂｌｕｅｔｏｏｔｈ（登録商標）等のＮＦＣ（近距離無線通信）や非接触型ＩＣカードの端末等より区画情報としての部屋ＩＤを取得し、これを探索場所情報としてもよい。この場合、上記実施形態において位置情報を部屋ＩＤと読み換える。例えば、支援装置１の第１判断部１１２は、受付部１１１により端末装置２から受け付けられた探索場所情報としての部屋ＩＤを、探索活動が進行中である区画を示す探索進行中区画情報とすればよい。上記部屋ＩＤは、探索対象の区画情報の一例である。また、探索対象の部屋が、障害物や広さのため探索に巡回を要するような部屋でなかった場合は、受け付けられた探索場所情報としての部屋ＩＤについて、探索完了としてもよい。また、探索場所情報としての部屋ＩＤを奇数回受け付けた場合は入室したものと判断して探索進行中とし、偶数回受け付けた場合は退室したものとして探索完了とするようにしてもよい。また、端末装置２が位置情報又は区画情報を取得することに代えて、個人を識別可能な入退室管理システムの入退室情報を管理装置４から支援装置１が取得���、支援装置１がこの入退室情報に基づいて、隊員情報データベース１２１と照合して該当する端末装置２を抽出し、当該端末装置２に対して通知部１１３より通信部１３、通信回線５を介して区画情報としての部屋ＩＤを通知し、当該端末装置２の受付部２１３がこれを受け付けて探索場所情報としてもよい。
【０１１０】
２−２．変形例２
上記の実施形態では、図４に例示されるように、防火対象物として室内を容易に視認できる複数の区画としての部屋を有する建物を想定しているが、体育館やドーム型競技場等の大きな区画としての空間を有する建物やパーティション等によって室内を一望できないような区画としての部屋を有する建物を防火対象物として想定してもよい。この場合、１つの区画を複数の小区画に分割し、これら複数の小区画をすべて巡回したことを検出することを以って、当該区画の探索が完了したと判断するようにしてもよい。端末装置２の記憶制御部２１４は、すべての小区画の区画情報が取得されて探索完了となるまでは、当該区画情報を第３の探索履歴情報として記憶部２２に記憶させる。具体的には、当該区画情報を探索状況情報「探索進行中」とともに部屋情報データベース２２３に記憶する。そして、すべての小区画の区画情報が取得されて探索完了となると、当該区画情報群を探索状況情報「探索完了」とともに部屋情報データベース２２３に記憶する。また、残留者の探索対象の単位となる区画には、部屋に限られず、廊下や、ホールや、アトリウムや、階段室や、エレベータ等も含まれてもよい。
【０１１１】
２−３．変形例３
上記の実施形態では、それぞれ端末装置２を携帯する複数の自衛消防隊員により残留者の探索活動を行うことを想定しているが、探索活動は１人の自衛消防隊員により行われてもよい。この場合、他の自衛消防隊員による探索活動の履歴は、表示部２５に表示される地図画面に反映されることはなく、自身が行った探索活動の履歴のみが地図画面に反映されることになる。このようにすることによっても、端末装置を携帯する自衛消防隊員は、建物内の残留者を探索する際に自身の位置や探索の状況を把握でき、パニックに陥ることなく、同一の場所の探索の重複や探索漏れを防止することができる。
【０１１２】
２−４．変形例４
上記の実施形態では、感知手段が感知する異状とは火災やガス漏れであったが、他の異状を感知するようにしてもよい。また、上記の実施形態では、支援装置１が受信機３から異状信号を受信したことを契機として支援装置１から端末装置２に対して初動情報が送信されているが、地震の発生やテロ予告等の他のイベントの発生を契機として、当該イベントについて通知する初動情報が端末装置２に対して送信されてもよい。つまり、建物からの避難を要するあらゆる事態を対象とすることができる。このような場合、支援装置１の受付部１１１が、受信機３または受信機３以外から異状信号以外の出動要請を受け付けるようにし、受付部１１１が出動要請を受け付けたとき、通知部１１３より各端末装置２へ初動情報を通知するようにすればよい。
【０１１３】
２−５．変形例５
上記の実施形態に係る測位時の動作のステップＳｂ７において、対応する部屋ＩＤに関して探索状況情報を「探索進行中」とすることに代えて、探索状況情報を「探索完了」とし、部屋情報データベース１２４に記憶するようにしてもよい。すなわち、自衛消防隊員が部屋に入室したことが確認された時点で、その部屋の探索が完了したとの判断が行われてもよい。この場合、後述する図７に示される探索完了時の動作は省略されてもよい。
【０１１４】
この変形例が採用された場合、支援装置１の第１判断部１１２は、受付部１１１により端末装置２から受け付けられた探索場所情報に基づいて、探索活動が完了した区画を示す探索完了区画情報（具体的には、部屋ＩＤ）を特定する。すなわち、探索活動が完了した区画（具体的には、部屋）を判断する。
【０１１５】
２−６．変形例６
上記の実施形態に係る測位時の動作では、端末装置２Ａにおいて生成された位置情報に基づいて支援装置１の側で当該装置が存在する部屋の部屋ＩＤを特定しているが、当該装置が存在する部屋の部屋ＩＤは当該装置の側で特定されてもよい。例えば、当該装置を携帯する自衛消防隊員による操作に基づいて特定されてもよい。この場合、上記の図６におけるステップＳｂ１において、上記の図７に示されるステップＳｃ１のように、自衛消防隊員によりタッチパネル２４１上で選択された部屋の部屋ＩＤを取得し、ステップＳｂ２では取得した部屋ＩＤを探索場所情報として位置情報データベース２２２に記憶し、ステップＳｂ４でこれを支援装置１に送信するようにしてもよい。このようにすれば、測位部２６を備えなくても、端末装置２Ａの現在地について複数の端末装置２間で共有することができる。
【０１１６】
なお、この場合にも、上記のステップＳｂ７において、特定した部屋ＩＤと関連付けて探索状況情報を「探索完了」とするように部屋情報データベース２２３に記憶することで、自衛消防隊員が部屋に入室したことが確認された時点で、その部屋の探索が完了したと判断するようにしてもよい。
【０１１７】
この変形例が採用された場合、端末装置２は、探索場所特定部２１１により取得された位置情報に基づいて、探索活動が完了した区画を示す探索完了区画情報（具体的には、部屋ＩＤ）を特定する判断部を備えることになる。この判断部は、探索活動が完了した区画（具体的には、部屋）を判断する。この場合、端末装置２Ａの通知部２１２は、この判断部により特定された部屋ＩＤを、通信部２３を介して支援装置１に通知する。支援装置１の通知部１１３は、受付部１１１により端末装置２Ａから受け付けられた部屋ＩＤを、通信部１３を介して端末装置２Ｂに通知する。また、端末装置２Ｂの受付部２１３は、支援装置１から通知される他の端末装置２の判断部により特定された部屋ＩＤを、通信部２３を介して受け付ける。
【０１１８】
２−７．変形例７
上記の実施形態では、端末装置２の側で各種データベースに基づいて地図画面が生成されて表示されているが、地図画面の生成を支援装置１の側で行い、端末装置２ではただ単に支援装置１から提供される表示情報を表示するだけの構成を採用してもよい。例えば、支援装置１をＷｅｂサーバとして機能させ、端末装置２の側では、Ｗｅｂブラウザによって支援装置１から取得された地図画面を示すＷｅｂページを表示する構成としてもよい。この場合、端末装置２が記憶部２２に備える防災支援アプリは、支援装置１からプッシュ通知される初動情報に基づいて、所定（ＵＲＬ）のＷｅｂページを取得するようにＷｅｂブラウザを起動するようにしておく。また、記憶部２２の地図情報データベース２２１、位置情報データベース２２２、部屋情報データベース２２３、防火戸情報データベース２２４を備える必要はない。これらに代えて、支援装置１の記憶部１２に備わる隊員情報データベース１２１、地図情報データベース１２２、位置情報データベース１２３、部屋情報データベース１２４、防火戸情報データベース１２５の情報に基づいて、通知部１１３が端末装置２のＷｅｂブラウザが取得する複数のＷｅｂページ情報を生成するようにする。なお、通知部１１３は、要請部１１７が応援要請する端末装置２のＷｅｂページ情報に応援要請を行う情報を生成するようにする。そして、端末装置２は、これら複数のＷｅｂページのうち、予め定められた、又は、初動情報で与えられた所定（ＵＲＬ）のＷｅｂページの情報を取得してＲＡＭに記憶し、表示制御部２１５が表示部２５に表示させる。これらのＷｅｂページは、端末装置２からのアクセスに対して、通信部１３を介して端末装置２のＷｅｂブラウザに情報を取得させるようにする。このような構成を採用することにより、防災支援アプリを、所定Ｗｅｂページを開くようにＷｅｂブラウザを起動するだけの簡単な構成とすることができ、標準装備されているＷｅｂブラウザを利用することができ、端末装置２の構成は簡易なものとできる。
【０１１９】
２−８．変形例８
上記の実施形態では、残留者の探索が完了した部屋は、端末装置２に表示される地図画面において網掛けで表示されることで、当該部屋の探索が完了したことが識別可能となっている。しかし、必ずしも部屋ごとに探索完了／未完了が識別可能な表示となっていなくても、探索活動を行う自衛消防隊員の移動の軌跡が分かれば、探索状況を把握し、探索が完了している部屋を知ることができる。そこで、上記の実施形態において、探索が完了した部屋を地図画面において網掛けで表示せずに、代わりに自衛消防隊員の移動の軌跡を地図画面に表示するようにしてもよい。
【０１２０】
この変形例を採用した場合、端末装置２の記憶制御部２１４は、探索場所特定部２１１により取得された位置情報を時系列に蓄積し、第１の探索履歴情報として記憶部２２の位置情報データベース２２２に記憶させる。また、支援装置１の通知部１１３は、端末装置２ごとの位置情報を端末装置２へ通信部１３を介して順次送信し、これを受付部２１３により受け付けた端末装置２の記憶制御部２１４は、他の端末装置２の探索場所特定部２１１により取得された位置情報を時系列に蓄積し、第２の探索履歴情報として記憶部２２の位置情報データベース２２２に記憶させる。そして、位置情報データベース２２２に記憶される位置情報に基づいて、残留者の探索が完了した場所を特定するための表示情報として自衛消防隊員の移動の軌跡を、建物における場所を示すように表示制御部２１５は表示部２５に地図表示させる。この場合、端末装置２の表示制御部２１５により表示される第１の表示情報は、例えば、地図画面に表示される当該装置の移動の軌跡に相当する。また、端末装置２の表示制御部２１５により表示される第２の表示情報は、例えば、地図画面に表示される、他の端末装置２の移動の軌跡に相当する。なお、移動の軌跡自体が探索状況を表すので、部屋情報データベース２２３に探索状況情報を記憶する必要はない。また、支援装置１の部屋情報データベース１２４にも探索状況情報を記憶しなくてもよい。
【０１２１】
２−９．変形例９
上記の実施形態では、支援装置１が各端末装置２からの情報を集約し、支援装置１を介して端末装置２間で情報の共有が図られているが、支援装置１で情報を集約することなく、端末装置２間で情報の共有を図ってもよい。このとき、端末装置２は、中継装置としての支援装置１を介して、あるいは、支援装置１を介することなく、情報を共有してもよい。例えば、端末装置２は、通信回線５を介して、あるいはアドホック通信によって互いに通信し、Ｐ２Ｐ（peer-to-peer）を利用して端末装置２間で通信するようにしてもよい。
【０１２２】
この変形例を採用した場合、端末装置２の記憶部２２は、上記実施形態で支援装置１の記憶部１２が備える隊員情報データベース１２１と同等の隊員情報データベース（図示せず）を備え、さらに、位置情報データベース２２２を支援装置１の位置情報データベース１２３と、地図情報データベース２２１を支援装置１の地図情報データベース１２２と、それぞれ同等のものとする。また、探索場所特定部２１１が取得した探索場所情報と地図情報データベース２２１に記憶された各部屋の領域情報とに基づいて、滞在場所としての部屋ＩＤを特定する、支援装置１の第１判断部１１２と同等の第１判断部（図示せず）を備える。すなわち、探索場所特定部２１１が取得した探索場所情報に基づいて、探索が完了した区画としての部屋を判断する第１判断部を備える。また、図示しない隊員情報データベースに記憶される他の自衛消防隊員の滞在場所情報に基づいて、端末ＩＤごとに同じ滞在場所に留まっている時間を計測する、支援装置１の計測部１１５と同等の計測部（図示せず）と、支援装置１の要請部１１７と同等の要請部（図示せず）とを備えるようにしてもよい。この場合、この計測部の計測値が所定時間を超えたときに、応援要請を行う端末装置２を選択して、上記要請部より応援を要請させる、支援装置１の第２判断部１１６と同等の第２判断部（図示せず）も備えるようにする。すなわち、上記計測部により計測された時間が所定の閾値を超えた場合に、当該端末装置２を携帯する人員の活動に対する応援要請を、複数の端末装置２のうちの当該端末装置２以外の端末装置２に送信する要請部を備える。つまり、端末装置２は、上記の実施形態の支援装置１に備わる機能を、すべて備えるようにする。そして端末装置２の、上記隊員情報データベース、上記地図情報データベース、上記位置情報データベース、上記部屋情報データベース、上記防火戸情報データベースをすべての端末装置２間で同期させる。
【０１２３】
なお、この変形例を採用した場合、上記の実施形態と同様に、異状情報を受信した支援装置１がすべての端末装置２に対して初動情報をプッシュ通知するようにしてもよい。また、異状信号や出動要請を受け付けて、プッシュ通知用サーバに対して初動情報をプッシュ通知させる送信手段を受信機３等に備えるようにしてもよい。また、上記地図情報データベースと、上記隊員データベースの滞在場所情報以外の情報と、を一元的に管理させるためのファイルサーバを通信回線５上に備え、このファイルサーバ上の情報に、端末装置２の情報を同期させて管理するようにしてもよい。このようにすることにより、間仕切り変更等による地図情報の変更や、隊員交代等による隊員情報変更が発生しても、端末装置２ごとに更新せず、ファイルサーバの情報更新だけで済ますことができる。
【符号の説明】
【０１２４】
１…支援装置、２…端末装置、３…受信機、４…管理装置、５…通信回線、１１…制御部、１２…記憶部、１３…通信部、２１…制御部、２２…記憶部、２３…通信部、２４…操作部、２５…表示部、２６…測位部、１００…支援システム、１１１…受付部、１１２…第１判断部、１１３…通知部、１１４…記憶制御部、１１５…計測部、１１６…第２判断部、１１７…要請部、１２１…隊員情報データベース、１２２…地図情報データベース、１２３…位置情報データベース、１２４…部屋情報データベース、１２５…防火戸情報データベース、２１１…探索場所特定部、２１２…通知部、２１３…受付部、２１４…記憶制御部、２１５…表示制御部、２２１…地図情報データベース、２２２…位置情報データベース、２２３…部屋情報データベース、２２４…防火戸情報データベース、２４１…タッチパネル、２５１…画面
【図１】
0006609415.tif 000002
【図２】
0006609415.tif 000003
【図３】
0006609415.tif 000004
【図４】
0006609415.tif 000005
【図５】
0006609415.tif 000006
【図６】
0006609415.tif 000007
【図７】
0006609415.tif 000008
【図８】
0006609415.tif 000009
【図９】
0006609415.tif 000010